(57)【要約】【課題】設置、分解撤去、分解撤去後における他の設置現場への搬送及び再設置におけるそれぞれの時間を短縮すること。【解決手段】組立式棚構造体２は、複数の直立支持部材４と、横方向に隣合う直立支持部材４間に連結される１個の水平横梁部材６と、複数のフロア部材１０とを備えている。横方向に相互に隣合う直立支持部材４の各々は、各々の一端鉛直面２８同士が相互に向き合うよう配置される。相互に向き合わされた一端鉛直面２８の各々には、外方に開放された内部空間Ｓを有するジョイント部材８が、内部空間ＳからボルトＢにより締結される。水平横梁部材６の端鉛直面６６の各々は、対応するジョイント部材８に、内部空間ＳからボルトＢにより締結される。【選択図】  図２
2007051512.tif 000002
【特許請求の範囲】
【請求項１】
水平横方向及び該水平横方向に直交する水平縦方向にそれぞれ相互に一定の間隔を置いて実質的に平坦な表面上に載置される複数の鉄筋コンクリート製直立支持部材と、該水平横方向に隣合う該直立支持部材間に連結される１個の水平横梁部材と、それぞれ、該水平縦方向に隣合う該直立支持部材の各々間及び該水平横梁部材の各々間における空間の上端領域を実質的に覆うよう連結される複数の鉄筋コンクリート製フロア部材とを備えた組立式棚構造体において、
直立支持部材の各々は、該水平縦方向に所定の幅をもって該水平横方向に所定の長さ延在するところの、該表面上に載置される基部と、該基部から鉛直上方に延びる直立部と、該直立部の上端を該水平横方向に延在する上端支持部とを備え、該上端支持部は、該水平横方向の一端に配設された一端鉛直面を備え、
該水平横梁部材の各々は、鉄筋コンクリートから一体に形成されると共に該水平横方向の両端に端鉛直面が形成され、
該水平横方向に相互に隣合う該直立支持部材の各々は、各々の該一端鉛直面同士が相互に向き合うよう配置され、相互に向き合わされた該一端鉛直面の各々には、外方に開放された内部空間を有する金属製ジョイント部材が、該内部空間から締結手段により分離自在に締結され、
該水平横梁部材の該端鉛直面の各々は、対応する該ジョイント部材に、該内部空間から締結手段により分離自在に締結される、
ことを特徴とする組立式棚構造体。
【請求項２】
該直立支持部材の各々の該上端支持部は、該上端支持部の該一端鉛直面の下領域周縁から該水平横方向に延び出して上方に開放される仮支持凹部を備え、該水平横梁部材の各々の両端部における下領域は、対応する該直立支持部材の該仮支持凹部内に位置付けられる、請求項１記載の組立式棚構造体。
【請求項３】
相互に締結された、該水平横方向に隣合う該直立支持部材の各々、該ジョイント部材の各々及び該水平横梁部材により、該水平横方向に延在するフロア支持ユニットが形成され、
該フロア支持ユニットは、該水平縦方向に等間隔をおいて複数配置され、
該フロア支持ユニットの各々の上端部は矩形の水平上端面を備え、該フロア部材の各々は矩形の水平上面を備え、
該フロア支持ユニットの各々の該上端部間には、複数の該フロア部材が分離自在に連結され、
該フロア支持ユニットの各々の該水平上端面と、該フロア部材の各々の該水平上面とは、実質的に同一水平面上に位置付けられる、請求項１又は請求項２記載の組立式棚構造体。
【請求項４】
該フロア支持ユニットの各々の該上端部は、該水平縦方向に実質的に一定の幅をもって該水平横方向に実質的に連続して細長く延在する矩形の該水平上端面と、該水平上端面の該水平縦方向両側からそれぞれ鉛直下方に実質的に同じ長さ延びかつ、該水平横方向に実質的に連続して延在する側鉛直面と、該側鉛直面の各々の下端からそれぞれ該水平縦方向に実質的に同じ長さ延び出しかつ、該水平横方向に実質的に連続して延在する側水平載置面と、該水平上端面の該水平横方向の両端からそれぞれ鉛直下方に実質的に同じ長さ延びる端鉛直面と、該端鉛直面の各々の下端からそれぞれ該水平横方向に延び出しかつ、該水平横方向に延び出した領域が更に該水平縦方向両側に延び出す端水平載置面とを備え、該端水平載置面の各々と、該側水平載置面の各々とは、実質的に同一水平面上に存在し、
該フロア部材の各々は、矩形の該水平上面を備えた平板状の床本体と、該床本体の両側部の下面からそれぞれ下方に突出する側突出壁と、該床本体の両端部の下面からそれぞれ下方に突出する端突出壁とを備え、該側突出壁の各々は、該床本体の両側からそれぞれ下方に該水平上面に対し直角に延び出す側外面を有し、該端突出壁の各々は、該床本体の両端からそれぞれ下方に該水平上面に対し直角に延び出す端外面を有し、該側突出壁の各々及び該端突出壁の各々の下面は、該床本体の該水平上面に平行な実質的に同一水平面上に存在し、
該水平縦方向に隣合う該フロア支持ユニットの各々において、該水平縦方向に隣合う該側水平載置面の各々上には、複数の該フロア部材が、該水平横方向に相互に隣接してかつ、対応する該端突出壁の該下面を介して載置され、該フロア部材の各々が、該水平縦方向に隣合う該フロア支持ユニットの各々における該側水平載置面上に載置された状態で、該水平横方向に相互に隣合う該フロア部材の各々の該側外面は相互に対向して位置付けられかつ、該フロア部材の各々の該端外面の各々は、該フロア支持ユニットの各々の該上端部の、対応する該側鉛直面に対向して位置付けられ、
該水平縦方向の両側に位置する該フロア支持ユニットの各々の該上端部と、該上端部の各々の、該水平縦方向の内側に位置する該側水平載置面上に載置された、該フロア部材の各々の、対応する該端突出壁とは、締結手段により分離自在に締結され、
該水平縦方向の中間に位置する該フロア支持ユニットの各々の該上端部と、該上端部の各々の、該水平縦方向の両側に位置する該側水平載置面の各々上に載置された、該フロア部材の各々の、対応する該端突出壁の各々とは、締結手段により分離自在に締結される、請求項３記載の組立式棚構造体。
【請求項５】
該水平横方向に相互に隣合う該フロア部材の各々の該側突出壁は、相互に、締結手段により分離自在に締結される、請求項４記載の組立式棚構造体。
【請求項６】
該水平縦方向の該両側に位置する該フロア支持ユニットの各々の該上端部における該側鉛直面の各々のうち、該水平縦方向の外側に位置する該側鉛直面の各々と、該水平横方向の両端に位置する該フロア部材の各々における該側突出壁の各々のうち、該水平横方向の外側に位置する該側突出壁の各々の該側外面と、該水平縦方向に隣合う該フロア支持ユニットの各々における該端鉛直面の各々とは、相互に実質的に連続する、平面矩形の鉛直外周面を形成する、請求項４又は請求項５記載の組立式棚構造体。
【請求項７】
該鉛直外周面の周方向の一部領域を除く周方向の他の全領域には、フェンス手段が直立して分離自在に配設される、請求項６記載の組立式棚構造体。
【請求項８】
該フェンス手段は、複数の鉄筋コンクリート製のフェンスからなり、該フェンスの各々は、一定の横断面形状を有しかつ、一定の高さで細長く水平方向に延在する本体と、該本体の下端部の内側において該本体と協働して該本体の長手方向の全域にわたって形成された雨樋とを備え、該雨樋は、該本体の該下端部の内側面から実質的に水平に延び出す底壁と、該底壁の先端から少なくとも上方に延び出して該本体に対し該底壁を挟んで対向する被支持壁とを備え、該フェンスの各々の該被支持壁は、対応する該鉛直外周面に締結手段を介して分離自在に締結される、請求項７記載の組立式棚構造体。
【請求項９】
複数の該フェンスにおける該雨樋の該底壁には、排水口が形成される、請求項８記載の組立式棚構造体。
【請求項１０】
該水平横方向の両端に位置する該フェンスの各々における該被支持壁の両端部の下面は、対応する該フロア支持ユニットの該端水平載置面上に載置され、該水平縦方向の両側に位置する該フェンスの各々における該被支持壁の下面は、それぞれ、該水平縦方向の両側に位置する該フロア支持ユニットの該側水平載置面であって、該水平縦方向外側に位置する該側水平載置面上に載置される、請求項８又は請求項９記載の組立式棚構造体。
【請求項１１】
該直立支持部材の各々の該直立部は、該基部から鉛直上方に延びかつ該水平縦方向の厚さを規定する両側面と、該水平横方向の長さを規定する両端面とを有し、
該上端支持部は、該水平縦方向に一定の幅を持って該水平横方向に所定の長さ延在する、矩形の水平上端面と、該水平上端面の該水平縦方向両側からそれぞれ鉛直下方に実質的に同じ長さ延びる側鉛直面と、該水平上端面の該水平横方向の一端から鉛直下方に延びる該一端鉛直面と、該水平上端面の該水平横方向の他端から鉛直下方に延びる他端鉛直面と、該側鉛直面の各々の下端からそれぞれ該水平縦方向に実質的に同じ長さ延び出す側水平載置面と、該側水平載置面の各々の、該水平横方向の一端における該水平縦方向の両側部から、該水平縦方向に実質的に同じ幅をもって該水平横方向に平行に実質的に同じ長さ延びる一対の一端水平載置面と、該他端鉛直面の下端から該水平横方向に所定の長さ延び出しかつ、該水平横方向に延び出した領域が更に該水平縦方向両側に延び出す他端水平載置面と、該側水平載置面の各々、該一端水平載置面の各々及び該他端水平載置面の、該水平縦方向両側からそれぞれ鉛直下方に実質的に同じ長さ延びる最外側鉛直面とを備え、
該上端支持部の該最外側鉛直面の各々は、それぞれ、該直立部の該側面から該水平縦方向に実質的に同じ長さ突出した位置に存在し、
該上端支持部の該仮支持凹部は、該一対の一端水平載置面間に形成されかつ、該一対の一端水平載置面の、該水平縦方向内縁から鉛直下方に実質的に同じ長さ延びる内側鉛直面と、該内側鉛直面の各々の下端から相互に接近する下方に実質的に同じ長さ延びる内側傾斜面と、該内側傾斜面の各々の下端間を延在する水平底面とを備え、
該上端支持部の該一端鉛直面は、該仮支持凹部の、該水平横方向における内側端を規定する、請求項４記載の組立式棚構造体。
【請求項１２】
該上端支持部の断面における輪郭は、該水平横方向の一端から他端にわたって一定であり、該上端支持部の該最外側鉛直面の各々における下端と、該直立部の該側面の各々における上端とは、該水平横方向に見て、該上端支持部の該最外側鉛直面の各々の下端から該直立部の上端に向かって傾斜する外側傾斜面により接続される、請求項１１記載の組立式棚構造体。
【請求項１３】
該直立支持部材の該基部は、実質的に一定の厚さを有しかつ、該水平縦方向に一定の幅をもって該水平横方向に平行に実質的に同じ長さ延在する側面と、該側面の各々と実質的に同じ厚さを有しかつ、該側面の各々の、該水平横方向の両端において相互に該水平縦方向に平行に延在する端面とからなる実質的に矩形の下部周面と、該下部周面の上端から該直立部の下端まで上方に傾斜する傾斜上面とを備え、
該上端支持部は、該一対の一端水平載置面の、該水平横方向における先端、及び該仮支持凹部の、該水平横方向における先端、の各々から実質的に鉛直下方に延びる、該上端支持部の最一端鉛直面と、該他端水平載置面の先端から鉛直下方に延びる、該上端支持部の最他端鉛直面とが備えられ、該最一端鉛直面及び該最他端鉛直面は、それぞれ、該直立部の、該水平横方向における一端面及び他端面から該水平横方向に実質的に同じ長さ突出した位置に存在し、
該基部の該下部周面における該端面の各々は、それぞれ、該上端支持部の該最一端鉛直面及び該最他端鉛直面から該水平横方向に実質的に同じ長さ突出した位置に存在し、該基部の該下部周面における該側面の各々は、それぞれ、該上端支持部の該最外側面の各々に対し、該水平横方向に実質的に同じ長さ突出した位置に存在する、請求項１２記載の組立式棚構造体。
【請求項１４】
該水平横梁部材の各々は、該水平縦方向に一定の幅を持って該水平横方向に所定の長さ延在する、矩形の水平上端面と、該水平上端面の該水平縦方向の両側からそれぞれ鉛直下方に延びる側鉛直面と、該水平上端面の該水平横方向の両端から鉛直下方に延びる端鉛直面と、該側鉛直面の各々の下端からそれぞれ該水平縦方向に一定の長さ延び出す側水平載置面と、該側水平載置面の各々の側縁から鉛直下方に延びる最外側鉛直面と、該最外側鉛直面の各々の下端から下方に向かって相互に接近する方向に延びる傾斜下面と、該傾斜下面の各々の下端間を水平に延びる水平下面とを備えている、請求項１３記載の組立式棚構造体。
【請求項１５】
ジョイント部材の各々は、相互に該水平横方向に間隔をおいて鉛直にかつ平行に延在しかつ、相互に実質的に同じ構成を有する鉛直外板及び鉛直内板と、該鉛直外板及び該鉛直内板間に配設されて該鉛直外板及び該鉛直内板を相互に連結する複数の連結板とを備え、該鉛直外板及び該鉛直内板は、該水平縦方向に延在する上端面と、該上端面の該水平縦方向の両側から鉛直下方に実質的に同じ長さ延びる側鉛直面と、該側鉛直面の各々の下端から該水平縦方向に実質的に同じ長さ延び出す水平面と、該水平面の各々の先端から鉛直下方に実質的に同じ長さ延びる最外側鉛直面と、該最外側鉛直面の各々の下端から相互に接近する下方に実質的に同じ長さ延びる傾斜下面と、該傾斜下面の各々の下端間を水平に延在する水平下面とを備え、複数の該連結板は、該鉛直外板及び該鉛直内板の該上端面に沿って該水平縦方向に延在する上端連結板と、該鉛直外板及び該鉛直内板の該最外側鉛直面の各々、該傾斜下面の各々及び該水平下面の各々に沿って延在する下領域連結板と、該鉛直外板及び該鉛直内板の該水平縦方向の中央において、該上端連結板と該下端領域連結板との間を鉛直に延在する中央鉛直連結板と、該中央鉛直板と、該側鉛直面の各々との間を水平に延在する少なくとも1個の水平連結板とを備え、該上端連結板の上面と該鉛直外板及び該鉛直内板の該上端面とは、実質的に同一水平面上に存在し、上端連結板の縦方向両端と、水平連結板の各々の、縦方向外側面の各々と、鉛直外板及び鉛直内板の、対応する側鉛直面の各々とは、実質的に同一鉛直面上に存在し、下領域連結板の上端面の各々と、鉛直外板及び鉛直内板の、対応する水平面の各々とは、横方向に延在する実質的に同一水平面上に存在し、該下領域連結板の外面と、該鉛直外板及び該鉛直内板の該最外側鉛直面の各々、該傾斜下面の各々及び該水平下面の各々とは、実質的に同一面上に存在し、該鉛直外板及び該鉛直内板間に該内部空間が形成され、該内部空間は、該水平横方向に隣合う該側鉛直面の各々間において該水平縦方向の外方に開放されかつ、該水平横方向に隣合う該水平面の各々間において鉛直上方の外方に開放され、該鉛直外板及び該鉛直内板には、それぞれ、相互に同心の複数のボルト挿入用の貫通穴が形成されている、請求項１４記載の組立式棚構造体。
【請求項１６】
該直立支持部材の各々の該上端支持部には、該水平横方向に延在しかつ一端が該一端鉛直面に開口する、複数の雌ねじ部材が埋設され、該水平横梁部材の各々には、該水平横方向に延在しかつ一端が、それぞれ、該端鉛直面の各々に開口する、複数の雌ねじ部材が埋設され、該ジョイント部材の各々は、各々の該鉛直外板が、相互に該水平横方向に隣合う該直立支持部材の各々の該上端支持部における該一端鉛直面の各々に対向して位置付けられかつ、該内部空間からボルトをボルト挿入用の該貫通穴に挿入して該一端鉛直面の各々の雌ねじ部材に締結することにより、該一端鉛直面の各々に分離自在に締結され、また、各々の該鉛直内板が、該水平横梁部材の該端鉛直面の各々にそれぞれ対向して位置付けられかつ、該内部空間からボルトをボルト挿入用の該貫通穴に挿入して該端鉛直面の各々の雌ねじ部材に締結することにより、該端鉛直面の各々に分離自在に締結される、請求項１５記載の組立式棚構造体。
【請求項１７】
該フロア支持ユニットの各々において、該水平上端面は、該直立支持部材の各々の該上端支持部における該水平上端面、該ジョイント部材の各々の該鉛直外板と該鉛直内板の該上端面及び該上端連結板の上面、及び該水平横梁部材の該水平上端面から形成され、該側鉛直面の各々は、該直立支持部材の各々の該上端部における該側鉛直面の各々、該ジョイント部材の各々の該鉛直外板と該鉛直内板の該側鉛直面の各々、及び該水平横梁部材の該側鉛直面の各々から形成され、該側水平載置面の各々は、該直立支持部材の各々の該上端支持部における該側水平載置面の各々、該ジョイント部材の各々の該水平面の各々、及び該水平横梁部材の該側水平載置面の各々から形成され、該端鉛直面の各々は、該直立支持部材の各々の該上端支持部における該他端鉛直面から形成され、該端水平載置面の各々は、該直立支持部材の各々の該上端支持部における該他端水平載置面から形成される、請求項１６記載の組立式棚構造体。
【発明の詳細な説明】
【技術分野】
【０００１】
本発明は、例えば、立体駐車場、倉庫、物置、機材置場、作業台、支持台、などに広く適用可能な組立式棚構造体に関する。
【背景技術】
【０００２】
本発明者は、先に、分離自在に組み立てられ、実質上平坦な表面上に載置される立体構築物である、組立式棚構造体を開発し、実用化している（特許文献１参照）。この棚構造体は、所定の幅をもって水平方向に所定の長さ延在するところの、該表面上に載置される基部と、基部から鉛直上方に延びかつ該幅方向の厚さを規定する両側面と該水平方向の長さを規定する両端面とを有する直立部とを備え、それぞれコンクリートから一体に成形された複数の直立支持部材を含んでいる。直立支持部材の各々は、水平横方向及び該水平横方向に直交する水平縦方向にそれぞれ相互に間隔を置いて配置される。該水平横方向に相互に隣合う直立支持部材の各々は、各々の直立部の一端面同士が相互に向き合わされて該水平横方向に一定の間隔を置いて配置されると共に１個の横梁部材により分離自在に連結される。該水平縦方向に相互に隣合う直立支持部材の各々は、各々の直立部の一側面同士が相互に向き合わされて該水平縦方向に一定の間隔を置いて配置されると共に複数の縦梁部材又は複数のブレース部材により相互に分離自在に連結される。該水平縦方向に相互に隣合う横梁部材の各々は、複数の縦梁部材又は１個の縦梁部材により相互に分離自在に連結される。横梁部材の各々の上面と、直立支持部材の各々における直立部の上面とによって水平載置面が形成され、水平載置面上には、複数のフロア部材が載置される。
【０００３】
上記棚構造体によれば、それ以前の柱構造からなる棚構造体に対し、同一設置面積において、一層大きな利用空間を得ることができる、水平方向及び上方への面積の拡大が容易である、全体の組立時間が短縮される、などの優れた効果が得られる。その反面、直立支持部材の各々間及び横梁部材の各々間を連結するために複数の縦梁部材又は、１個の縦梁部材と複数のブレース部材、が使用されるので、全体として部品点数が多く、組付工数及び分解撤去工数が多くなる。このため、設置現場における設置、分解撤去、分解撤去後における他の設置現場への搬送及び再設置などの容易化及び迅速化、トータルコストの低減、などにおいて、更に改善の余地が残されている、といえる。
【特許文献１】特開平０９−０７８８７１
【発明の開示】
【発明が解決しようとする課題】
【０００４】
本発明の目的は、設置現場における設置、使用後における分解撤去、分解撤去後における他の設置現場への搬送及び再設置などを容易かつ迅速に遂行することを可能にし、その結果、設置、分解撤去、分解撤去後における他の設置現場への搬送及び再設置におけるそれぞれの時間を短縮し、トータルコストの低減を可能にする、新規な組立式棚構造体を提供することである。
【０００５】
本発明の他の目的は、部品の種類及び部品点数が少なく、全体の構成がシンプルであり、トータルコストの低減を可能にする、新規な組立式棚構造体を提供することである。
【課題を解決するための手段】
【０００６】
本発明によれば、
水平横方向及び該水平横方向に直交する水平縦方向にそれぞれ相互に一定の間隔を置いて実質的に平坦な表面上に載置される複数の鉄筋コンクリート製直立支持部材と、該水平横方向に隣合う該直立支持部材間に連結される１個の水平横梁部材と、それぞれ、該水平縦方向に隣合う該直立支持部材の各々間及び該水平横梁部材の各々間における空間の上端領域を実質的に覆うよう連結される複数の鉄筋コンクリート製フロア部材とを備えた組立式棚構造体において、
直立支持部材の各々は、該水平縦方向に所定の幅をもって該水平横方向に所定の長さ延在するところの、該表面上に載置される基部と、該基部から鉛直上方に延びる直立部と、該直立部の上端を該水平横方向に延在する上端支持部とを備え、該上端支持部は、該水平横方向の一端に配設された一端鉛直面を備え、
該水平横梁部材の各々は、鉄筋コンクリートから一体に形成されると共に該水平横方向の両端に端鉛直面が形成され、
該水平横方向に相互に隣合う該直立支持部材の各々は、各々の該一端鉛直面同士が相互に向き合うよう配置され、相互に向き合わされた該一端鉛直面の各々には、外方に開放された内部空間を有する金属製ジョイント部材が、該内部空間から締結手段により分離自在に締結され、
該水平横梁部材の該端鉛直面の各々は、対応する該ジョイント部材に、該内部空間から締結手段により分離自在に締結される、
ことを特徴とする組立式棚構造体、が提供される。
該直立支持部材の各々の該上端支持部は、該上端支持部の該一端鉛直面の下領域周縁から該水平横方向に延び出して上方に開放される仮支持凹部を備え、該水平横梁部材の各々の両端部における下領域は、対応する該直立支持部材の該仮支持凹部内に位置付けられる、ことが好ましい。
相互に締結された、該水平横方向に隣合う該直立支持部材の各々、該ジョイント部材の各々及び該水平横梁部材により、該水平横方向に延在するフロア支持ユニットが形成され、該フロア支持ユニットは、該水平縦方向に等間隔をおいて複数配置され、該フロア支持ユニットの各々の上端部は矩形の水平上端面を備え、該フロア部材の各々は矩形の水平上面を備え、該フロア支持ユニットの各々の該上端部間には、複数の該フロア部材が分離自在に連結され、該フロア支持ユニットの各々の該水平上端面と、該フロア部材の各々の該水平上面とは、実質的に同一水平面上に位置付けられる、ことが好ましい。
該フロア支持ユニットの各々の該上端部は、該水平縦方向に実質的に一定の幅をもって該水平横方向に実質的に連続して細長く延在する矩形の該水平上端面と、該水平上端面の該水平縦方向両側からそれぞれ鉛直下方に実質的に同じ長さ延びかつ、該水平横方向に実質的に連続して延在する側鉛直面と、該側鉛直面の各々の下端からそれぞれ該水平縦方向に実質的に同じ長さ延び出しかつ、該水平横方向に実質的に連続して延在する側水平載置面と、該水平上端面の該水平横方向の両端からそれぞれ鉛直下方に実質的に同じ長さ延びる端鉛直面と、該端鉛直面の各々の下端からそれぞれ該水平横方向に延び出しかつ、該水平横方向に延び出した領域が更に該水平縦方向両側に延び出す端水平載置面とを備え、該端水平載置面の各々と、該側水平載置面の各々とは、実質的に同一水平面上に存在し、該フロア部材の各々は、矩形の該水平上面を備えた平板状の床本体と、該床本体の両側部の下面からそれぞれ下方に突出する側突出壁と、該床本体の両端部の下面からそれぞれ下方に突出する端突出壁とを備え、該側突出壁の各々は、該床本体の両側からそれぞれ下方に該水平上面に対し直角に延び出す側外面を有し、該端突出壁の各々は、該床本体の両端からそれぞれ下方に該水平上面に対し直角に延び出す端外面を有し、該側突出壁の各々及び該端突出壁の各々の下面は、該床本体の該水平上面に平行な実質的に同一水平面上に存在し、該水平縦方向に隣合う該フロア支持ユニットの各々において、該水平縦方向に隣合う該側水平載置面の各々上には、複数の該フロア部材が、該水平横方向に相互に隣接してかつ、対応する該端突出壁の該下面を介して載置され、該フロア部材の各々が、該水平縦方向に隣合う該フロア支持ユニットの各々における該側水平載置面上に載置された状態で、該水平横方向に相互に隣合う該フロア部材の各々の該側外面は相互に対向して位置付けられかつ、該フロア部材の各々の該端外面の各々は、該フロア支持ユニットの各々の該上端部の、対応する該側鉛直面に対向して位置付けられ、
該水平縦方向の両側に位置する該フロア支持ユニットの各々の該上端部と、該上端部の各々の、該水平縦方向の内側に位置する該側水平載置面上に載置された、該フロア部材の各々の、対応する該端突出壁とは、締結手段により分離自在に締結され、該水平縦方向の中間に位置する該フロア支持ユニットの各々の該上端部と、該上端部の各々の、該水平縦方向の両側に位置する該側水平載置面の各々上に載置された、該フロア部材の各々の、対応する該端突出壁の各々とは、締結手段により分離自在に締結される、ことが好ましい。
該水平横方向に相互に隣合う該フロア部材の各々の該側突出壁は、相互に、締結手段により分離自在に締結される、ことが好ましい。
該水平縦方向の該両側に位置する該フロア支持ユニットの各々の該上端部における該側鉛直面の各々のうち、該水平縦方向の外側に位置する該側鉛直面の各々と、該水平横方向の両端に位置する該フロア部材の各々における該側突出壁の各々のうち、該水平横方向の外側に位置する該側突出壁の各々の該側外面と、該水平縦方向に隣合う該フロア支持ユニットの各々における該端鉛直面の各々とは、相互に実質的に連続する、平面矩形の鉛直外周面を形成する、ことが好ましい。
該鉛直外周面の周方向の一部領域を除く周方向の他の全領域には、フェンス手段が直立して分離自在に配設される、ことが好ましい。
該フェンス手段は、複数の鉄筋コンクリート製のフェンスからなり、該フェンスの各々は、一定の横断面形状を有しかつ、一定の高さで細長く水平方向に延在する本体と、該本体の下端部の内側において該本体と協働して該本体の長手方向の全域にわたって形成された雨樋とを備え、該雨樋は、該本体の該下端部の内側面から実質的に水平に延び出す底壁と、該底壁の先端から少なくとも上方に延び出して該本体に対し該底壁を挟んで対向する被支持壁とを備え、該フェンスの各々の該被支持壁は、対応する該鉛直外周面に締結手段を介して分離自在に締結される、ことが好ましい。
複数の該フェンスにおける該雨樋の該底壁には、排水口が形成される、ことが好ましい。
該水平横方向の両端に位置する該フェンスの各々における該被支持壁の両端部の下面は、対応する該フロア支持ユニットの該端水平載置面上に載置され、該水平縦方向の両側に位置する該フェンスの各々における該被支持壁の下面は、それぞれ、該水平縦方向の両側に位置する該フロア支持ユニットの該側水平載置面であって、該水平縦方向外側に位置する該側水平載置面上に載置される、ことが好ましい。
該直立支持部材の各々の該直立部は、該基部から鉛直上方に延びかつ該水平縦方向の厚さを規定する両側面と、該水平横方向の長さを規定する両端面とを有し、該上端支持部は、該水平縦方向に一定の幅を持って該水平横方向に所定の長さ延在する、矩形の水平上端面と、該水平上端面の該水平縦方向両側からそれぞれ鉛直下方に実質的に同じ長さ延びる側鉛直面と、該水平上端面の該水平横方向の一端から鉛直下方に延びる該一端鉛直面と、該水平上端面の該水平横方向の他端から鉛直下方に延びる他端鉛直面と、該側鉛直面の各々の下端からそれぞれ該水平縦方向に実質的に同じ長さ延び出す側水平載置面と、該側水平載置面の各々の、該水平横方向の一端における該水平縦方向の両側部から、該水平縦方向に実質的に同じ幅をもって該水平横方向に平行に実質的に同じ長さ延びる一対の一端水平載置面と、該他端鉛直面の下端から該水平横方向に所定の長さ延び出しかつ、該水平横方向に延び出した領域が更に該水平縦方向両側に延び出す他端水平載置面と、該側水平載置面の各々、該一端水平載置面の各々及び該他端水平載置面の、該水平縦方向両側からそれぞれ鉛直下方に実質的に同じ長さ延びる最外側鉛直面とを備え、該上端支持部の該最外側鉛直面の各々は、それぞれ、該直立部の該側面から該水平縦方向に実質的に同じ長さ突出した位置に存在し、該上端支持部の該仮支持凹部は、該一対の一端水平載置面間に形成されかつ、該一対の一端水平載置面の、該水平縦方向内縁から鉛直下方に実質的に同じ長さ延びる内側鉛直面と、該内側鉛直面の各々の下端から相互に接近する下方に実質的に同じ長さ延びる内側傾斜面と、該内側傾斜面の各々の下端間を延在する水平底面とを備え、該上端支持部の該一端鉛直面は、該仮支持凹部の、該水平横方向における内側端を規定する、ことが好ましい。
該上端支持部の断面における輪郭は、該水平横方向の一端から他端にわたって一定であり、該上端支持部の該最外側鉛直面の各々における下端と、該直立部の該側面の各々における上端とは、該水平横方向に見て、該上端支持部の該最外側鉛直面の各々の下端から該直立部の上端に向かって傾斜する外側傾斜面により接続される、ことが好ましい。
該直立支持部材の該基部は、実質的に一定の厚さを有しかつ、該水平縦方向に一定の幅をもって該水平横方向に平行に実質的に同じ長さ延在する側面と、該側面の各々と実質的に同じ厚さを有しかつ、該側面の各々の、該水平横方向の両端において相互に該水平縦方向に平行に延在する端面とからなる実質的に矩形の下部周面と、該下部周面の上端から該直立部の下端まで上方に傾斜する傾斜上面とを備え、該上端支持部は、該一対の一端水平載置面の、該水平横方向における先端、及び該仮支持凹部の、該水平横方向における先端、の各々から実質的に鉛直下方に延びる、該上端支持部の最一端鉛直面と、該他端水平載置面の先端から鉛直下方に延びる、該上端支持部の最他端鉛直面とが備えられ、該最一端鉛直面及び該最他端鉛直面は、それぞれ、該直立部の、該水平横方向における一端面及び他端面から該水平横方向に実質的に同じ長さ突出した位置に存在し、該基部の該下部周面における該端面の各々は、それぞれ、該上端支持部の該最一端鉛直面及び該最他端鉛直面から該水平横方向に実質的に同じ長さ突出した位置に存在し、該基部の該下部周面における該側面の各々は、それぞれ、該上端支持部の該最外側面の各々に対し、該水平横方向に実質的に同じ長さ突出した位置に存在する、ことが好ましい。
該水平横梁部材の各々は、該水平縦方向に一定の幅を持って該水平横方向に所定の長さ延在する、矩形の水平上端面と、該水平上端面の該水平縦方向の両側からそれぞれ鉛直下方に延びる側鉛直面と、該水平上端面の該水平横方向の両端から鉛直下方に延びる端鉛直面と、該側鉛直面の各々の下端からそれぞれ該水平縦方向に一定の長さ延び出す側水平載置面と、該側水平載置面の各々の側縁から鉛直下方に延びる最外側鉛直面と、該最外側鉛直面の各々の下端から下方に向かって相互に接近する方向に延びる傾斜下面と、該傾斜下面の各々の下端間を水平に延びる水平下面とを備えている、ことが好ましい。
ジョイント部材の各々は、相互に該水平横方向に間隔をおいて鉛直にかつ平行に延在しかつ、相互に実質的に同じ構成を有する鉛直外板及び鉛直内板と、該鉛直外板及び該鉛直内板間に配設されて該鉛直外板及び該鉛直内板を相互に連結する複数の連結板とを備え、該鉛直外板及び該鉛直内板は、該水平縦方向に延在する上端面と、該上端面の該水平縦方向の両側から鉛直下方に実質的に同じ長さ延びる側鉛直面と、該側鉛直面の各々の下端から該水平縦方向に実質的に同じ長さ延び出す水平面と、該水平面の各々の先端から鉛直下方に実質的に同じ長さ延びる最外側鉛直面と、該最外側鉛直面の各々の下端から相互に接近する下方に実質的に同じ長さ延びる傾斜下面と、該傾斜下面の各々の下端間を水平に延在する水平下面とを備え、複数の該連結板は、該鉛直外板及び該鉛直内板の該上端面に沿って該水平縦方向に延在する上端連結板と、該鉛直外板及び該鉛直内板の該最外側鉛直面の各々、該傾斜下面の各々及び該水平下面の各々に沿って延在する下領域連結板と、該鉛直外板及び該鉛直内板の該水平縦方向の中央において、該上端連結板と該下端領域連結板との間を鉛直に延在する中央鉛直連結板と、該中央鉛直板と、該側鉛直面の各々との間を水平に延在する少なくとも1個の水平連結板とを備え、該上端連結板の上面と該鉛直外板及び該鉛直内板の該上端面とは、実質的に同一水平面上に存在し、上端連結板の縦方向両端と、水平連結板の各々の、縦方向外側面の各々と、鉛直外板及び鉛直内板の、対応する側鉛直面の各々とは、実質的に同一鉛直面上に存在し、下領域連結板の上端面の各々と、鉛直外板及び鉛直内板の、対応する水平面の各々とは、横方向に延在する実質的に同一水平面上に存在し、該下領域連結板の外面と、該鉛直外板及び該鉛直内板の該最外側鉛直面の各々、該傾斜下面の各々及び該水平下面の各々とは、実質的に同一面上に存在し、該鉛直外板及び該鉛直内板間に該内部空間が形成され、該内部空間は、該水平横方向に隣合う該側鉛直面の各々間において該水平縦方向の外方に開放されかつ、該水平横方向に隣合う該水平面の各々間において鉛直上方の外方に開放され、該鉛直外板及び該鉛直内板には、それぞれ、相互に同心の複数のボルト挿入用の貫通穴が形成されている、ことが好ましい。
該直立支持部材の各々の該上端支持部には、該水平横方向に延在しかつ一端が該一端鉛直面に開口する、複数の雌ねじ部材が埋設され、該水平横梁部材の各々には、該水平横方向に延在しかつ一端が、それぞれ、該端鉛直面の各々に開口する、複数の雌ねじ部材が埋設され、該ジョイント部材の各々は、各々の該鉛直外板が、相互に該水平横方向に隣合う該直立支持部材の各々の該上端支持部における該一端鉛直面の各々に対向して位置付けられかつ、該内部空間からボルトをボルト挿入用の該貫通穴に挿入して該一端鉛直面の各々の雌ねじ部材に締結することにより、該一端鉛直面の各々に分離自在に締結され、また、各々の該鉛直内板が、該水平横梁部材の該端鉛直面の各々にそれぞれ対向して位置付けられかつ、該内部空間からボルトをボルト挿入用の該貫通穴に挿入して該端鉛直面の各々の雌ねじ部材に締結することにより、該端鉛直面の各々に分離自在に締結される、ことが好ましい。
該フロア支持ユニットの各々において、該水平上端面は、該直立支持部材の各々の該上端支持部における該水平上端面、該ジョイント部材の各々の該鉛直外板と該鉛直内板の該上端面及び該上端連結板の上面、及び該水平横梁部材の該水平上端面から形成され、該側鉛直面の各々は、該直立支持部材の各々の該上端部における該側鉛直面の各々、該ジョイント部材の各々の該鉛直外板と該鉛直内板の該側鉛直面の各々、及び該水平横梁部材の該側鉛直面の各々から形成され、該側水平載置面の各々は、該直立支持部材の各々の該上端支持部における該側水平載置面の各々、該ジョイント部材の各々の該水平面の各々、及び該水平横梁部材の該側水平載置面の各々から形成され、該端鉛直面の各々は、該直立支持部材の各々の該上端支持部における該他端鉛直面から形成され、該端水平載置面の各々は、該直立支持部材の各々の該上端支持部における該他端水平載置面から形成される、ことが好ましい。
【発明を実施するための最良の形態】
【０００７】
以下、本発明に従って構成された組立式棚構造体の好適な実施の形態を、添付図面を参照して詳細に説明する。なお添付図面において、実質的に同一部分は同一符号で示されている。
【０００８】
図１及び図２を参照して、組立式棚構造体２は、それぞれ複数の、直立支持部材４、水平横梁部材６、ジョイント部材８、フロア部材１０及びフェンス１２を備えている。直立支持部材４、水平横梁部材６、フロア部材１０及びフェンス１２は、それぞれ鉄筋コンクリートから一体に形成され、ジョイント部材８は複数の鋼板から形成されている。相互に実質的に同じ構成を有する直立支持部材４は、水平横方向（図１及び図２において左右方向）及び該水平横方向に直交する水平縦方向（図１及び図２において前後方向）にそれぞれ相互に一定の間隔を置いて実質的に平坦な表面上に載置される。相互に実質的に同じ構成を有する水平横梁部材６は、水平横方向に隣合う直立支持部材４間に分離自在に連結される。相互に実質的に同じ構成を有するフロア部材１０は、水平縦方向に隣合う直立支持部材４の各々間及び水平横梁部材６の各々間における空間の上端領域を実質的に覆うよう、直立支持部材４の各々間及び水平横梁部材６の各々間に分離自在に連結される。なお、上記した「水平横方向」及び「水平縦方向」は、以下の記載において、それぞれ、単に「横方向」及び「縦方向」と略称する。
【０００９】
図１、図２及び図１４〜図１７を参照して、直立支持部材４は、縦方向に所定の幅をもって横方向に所定の長さ延在する基部１４と、基部１４から鉛直上方に延びる直立部１６と、直立部１６の上端を横方向に延在する上端支持部１８とを備えている。直立部１６は、基部１４から鉛直上方に延びかつ縦方向の厚さを規定する両側面２０と、横方向の長さを規定する両端面２２とを有している。
【００１０】
上端支持部１８は、縦方向に一定の幅を持って横方向に所定の長さ延在する、矩形の水平上端面２４と、水平上端面２４の縦方向両側からそれぞれ鉛直下方に実質的に同じ長さ延びる側鉛直面２６と、水平上端面２４の横方向の一端から鉛直下方に延びる一端鉛直面２８と、水平上端面２４の横方向の他端から鉛直下方に延びる他端鉛直面３０と、側鉛直面２６の各々の下端からそれぞれ縦方向に実質的に同じ長さ延び出す側水平載置面３２と、側水平載置面３２の各々の、横方向の一端における縦方向の両側部から、縦方向に実質的に同じ幅をもって横方向に平行に実質的に同じ長さ延びる一対の一端水平載置面３４と、他端鉛直面３０の下端から横方向に所定の長さ延び出しかつ、横方向に延び出した領域が更に縦方向両側に延び出す他端水平載置面３６と、側水平載置面３２の各々、一端水平載置面３４の各々及び他端水平載置面３６の、縦方向両側からそれぞれ鉛直下方に実質的に同じ長さ延びる最外側鉛直面３８とを備えている。
【００１１】
上端支持部１８の最外側鉛直面３８の各々は、それぞれ、直立部１６の側面２０から縦方向に実質的に同じ長さ突出した位置に存在する。上端支持部１８は、上端支持部１８の一端鉛直面２８の下領域周縁から横方向に延び出して横方向及び上方に開放される仮支持凹部４０を備えている。仮支持凹部４０は、一対の一端水平載置面３４間に形成されかつ、一対の一端水平載置面３４の、縦方向内縁から鉛直下方に実質的に同じ長さ延びる内側鉛直面４２と、内側鉛直面４２の各々の下端から相互に接近する下方に実質的に同じ長さ延びる内側傾斜面４４と、内側傾斜面４４の各々の下端間を延在する水平底面４６とを備えている。上端支持部１８の一端鉛直面２８は、仮支持凹部４０の、横方向における内側端を規定している。
【００１２】
上端支持部１８の一端部には、横方向に延在しかつ、一端が一端鉛直面２８に開口する複数の雌ねじ部材２９が埋設されている。また、上端支持部１８の他端部には、横方向に延在しかつ、一端が他端鉛直面３０に開口する複数の雌ねじ部材３１が埋設されている。上端支持部１８にはまた、縦方向に延在しかつ、両端がそれぞれ側鉛直面２６の各々に開口する複数の貫通穴２７が形成されている。
【００１３】
上端支持部１８の断面（縦方向に切断して横方向から見た断面）における輪郭は、横方向の一端から他端にわたって一定である。上端支持部１８の最外側鉛直面３８の各々における下端と、直立部１６の側面２０の各々における上端とは、横方向に見て、上端支持部１８の最外側鉛直面３８の各々の下端から直立部１６の上端に向かって傾斜する外側傾斜面により接続されている。
【００１４】
基部１４は、実質的に一定の厚さを有しかつ、縦方向に一定の幅をもって横方向に平行に実質的に同じ長さ延在する側面５０と、側面５０の各々と実質的に同じ厚さを有しかつ、側面５０の各々の、横方向の両端において相互に縦方向に平行に延在する端面５２とからなる実質的に矩形の下部周面５４と、下部周面５４の上端から直立部１６の下端まで上方に傾斜する傾斜上面５６とを備えている。基部１４の底面は実質的に水平である。直立部１６の、横方向中央には、実質的に矩形の貫通穴１７が形成されている。
【００１５】
上端支持部１８は、一対の一端水平載置面３４の、横方向における先端、及び仮支持凹部４０の、横方向における先端、の各々から実質的に鉛直下方に延びる、上端支持部１８の最一端鉛直面５８と、他端水平載置面３６の先端から鉛直下方に延びる、上端支持部１８の最他端鉛直面６０とが備えられている。最一端鉛直面５８及び最他端鉛直面６０は、それぞれ、直立部１６の、横方向における一端面２２及び他端面２２から横方向に実質的に同じ長さ突出した位置に存在する。
【００１６】
基部１４の下部周面５４における端面５２の各々は、それぞれ、上端支持部１８の最一端鉛直面５８及び最他端鉛直面６０から横方向に実質的に同じ長さ突出した位置に存在する。また、基部１４の下部周面５４における側面５０の各々は、それぞれ、上端支持部１８の最外側鉛直面３８の各々に対し、横方向に実質的に同じ長さ突出した位置に存在する。このような構成は、直立支持部材４を平坦な表面上に安定して載置することに寄与する。
【００１７】
図１〜図３、図７及び図２４を参照して、水平横梁部材６は、縦方向に一定の幅を持って横方向に所定の長さ延在する、矩形の水平上端面６２と、水平上端面６２の縦方向の両側からそれぞれ鉛直下方に実質的に同じ長さ延びる側鉛直面６４と、水平上端面６２の横方向の両端から鉛直下方に延びる端鉛直面６６と、側鉛直面６４の各々の下端からそれぞれ縦方向に実質的に同じ長さ延び出す側水平載置面６８と、側水平載置面６８の各々の側縁から鉛直下方に実質的に同じ長さ延びる最外側鉛直面７０と、最外側鉛直面７０の各々の下端から下方に向かって相互に接近する方向に実質的に同じ長さ延びる傾斜下面７２と、傾斜下面７２の各々の下端間を水平に延びる水平下面７４とを備えている。水平横梁部材６には、縦方向に延在しかつ、両端がそれぞれ側鉛直面６４の各々に開口する複数の貫通穴６５が形成されている。水平横梁部材６にはまた、横方向に延在しかつ、一端がそれぞれ端鉛直面６６の各々に開口する複数の雌ねじ部材６７（図２０及び図２１参照）が埋設されている。雌ねじ部材６７の各々は、埋設される複数の鉄筋の先端に雌ねじを形成することにより構成されている。
【００１８】
図１８及び図１９を参照して、複数の鋼板を溶接により連結してなるジョイント部材８は、相互に横方向に間隔をおいて鉛直にかつ平行に延在しかつ、相互に実質的に同じ構成を有する鉛直外板７６及び鉛直内板７８と、鉛直外板７６及び鉛直内板７８間に配設されて鉛直外板７６及び鉛直内板７８を相互に連結する複数の連結板、すなわち、上端連結板８０、下領域連結板８２、中央鉛直連結板８４及び少なくとも1個の水平連結板、実施形態においては４個の水平連結板８６とを備えている。
【００１９】
鉛直外板７６及び鉛直内板７８は、縦方向に延在する上端面８８と、上端面８８の縦方向の両側から鉛直下方に実質的に同じ長さ延びる側鉛直面９０と、側鉛直面９０の各々の下端から縦方向に実質的に同じ長さ延び出す水平面９２と、水平面９２の各々の先端から鉛直下方に実質的に同じ長さ延びる最外側鉛直面９４と、最外側鉛直面９４の各々の下端から相互に接近する下方に実質的に同じ長さ延びる傾斜下面９６と、傾斜下面９６の各々の下端間を水平に延在する水平下面９８とを備えている。上端連結板８０は、鉛直外板７６及び鉛直内板７８の上端面８８に沿って縦方向に延在する。下領域連結板９８は、鉛直外板７６及び鉛直内板７８の最外側鉛直面９４の各々、傾斜下面９６の各々及び水平下面９８の各々に沿って延在する。中央鉛直連結板８４は、鉛直外板７６及び鉛直内板７８における縦方向の中央において、上端連結板８０と下端領域連結板９８との間を鉛直に延在する。水平連結板８６の各々は、中央鉛直板８４と側鉛直面９０の各々との間を、鉛直方向に間隔をおいて水平に延在する。
【００２０】
上端連結板８０の上面８１と鉛直外板７６及び鉛直内板７８の上端面８８とは、実質的に同一水平面上に存在する。上端連結板８０の縦方向両端と、水平連結板８６の各々の、縦方向外側面の各々と、鉛直外板７６及び鉛直内板７８の、対応する側鉛直面９０の各々とは、実質的に同一鉛直面上に存在する。下領域連結板８２の上端面８３の各々と、鉛直外板７６及び鉛直内板７８の、対応する水平面９２の各々とは、実質的に同一水平面上に存在する。下領域連結板８２の外面と、鉛直外板７６及び鉛直内板７８の最外側鉛直面９４の各々、傾斜下面９６の各々及び水平下面９８の各々とは、横方向に延在する、実質的に同一面上に存在する。鉛直外板７６及び鉛直内板７８間に、中央鉛直連結板８４及び水平連結板８６の各々によって仕切られた内部空間Ｓが形成される。内部空間Ｓは、横方向に隣合う側鉛直面９０の各々間において縦方向の外方に開放されかつ、横方向に隣合う水平面９２の各々間において鉛直上方の外方に開放されている。鉛直外板７６及び鉛直内板７８には、それぞれ、相互に同心のボルト挿入用の貫通穴９９が複数個形成されている。
【００２１】
図２及び図３を参照して、横方向に相互に隣合う直立支持部材４の各々は、各々の一端鉛直面２８同士が相互に向き合うよう配置される。相互に向き合わされた一端鉛直面２８の各々には、外方に開放された内部空間Ｓ（図１９）を有するジョイント部材８が、内部空間Ｓから締結手段ボルトＢ（図２０及び図２１）により分離自在に締結される。水平横梁部材６の端鉛直面６６の各々は、対応するジョイント部材８に、内部空間ＳからボルトＢ（図２０及び図２１）によりにより分離自在に締結される。水平横梁部材６の両端部における下領域（最外側鉛直面７０、傾斜下面７２の各々及び水平下面７４により形成される下領域）は、対応する直立支持部材４の仮支持凹部４０内に適宜の隙間をおいて位置付けられる（図２３参照）。
【００２２】
図２０及び図２１を参照して、水平横梁部材６と片方の直立支持部材４（図１及び図２において右に位置する直立支持部材４）との、ジョイント部材８を介しての連結について、更に具体的に説明する。ジョイント部材８は、鉛直外板７６が、片方の直立支持部材４の上端支持部１８における一端鉛直面２８に対向して位置付けられかつ、内部空間ＳからボルトＢをボルト挿入用の貫通穴９９（図１８）に挿入して一端鉛直面２８の雌ねじ部材２９に締結することにより、一端鉛直面２８に分離自在に締結される。また、鉛直内板７８が、水平横梁部材６の端鉛直面６６に対向して位置付けられかつ、内部空間ＳからボルトＢをボルト挿入用の貫通穴９９に挿入して端鉛直面６６の雌ねじ部材６７に締結することにより、端鉛直面６６に分離自在に締結される。ボルトＢ及び雌ねじ部材２９、ボルトＢ及び雌ねじ部材６７は、それぞれ締結手段を構成する。水平横梁部材６と他方の直立支持部材４（図１及び図２において左に位置する直立支持部材４）との、ジョイント部材８を介しての連結についても、上記したのと実質的に同じ形態で遂行される。
【００２３】
図１を参照して、相互に締結された、水平横方向に隣合う直立支持部材４の各々、ジョイント部材８の各々及び水平横梁部材６により、水平横方向に延在するフロア支持ユニット１００が形成される。相互に実質的に同じ構成を有するフロア支持ユニット１００は、縦方向に等間隔をおいて相互に平行に複数個配置される。
【００２４】
フロア支持ユニット１００の各々の上端部は、縦方向に実質的に一定の幅をもって横方向に実質的に連続して細長く延在する矩形の水平上端面１０２と、水平上端面１０２の縦方向両側からそれぞれ鉛直下方に実質的に同じ長さ延びかつ、横方向に実質的に連続して延在する側鉛直面１０４と、側鉛直面１０４の各々の下端からそれぞれ縦方向に実質的に同じ長さ延び出しかつ、横方向に実質的に連続して延在する側水平載置面１０６と、水平上端面１０２の横方向の両端からそれぞれ鉛直下方に実質的に同じ長さ延びる端鉛直面１０８と、端鉛直面１０８の各々の下端からそれぞれ横方向に延び出しかつ、横方向に延び出した領域が更に縦方向両側に延び出す端水平載置面１１０とを備えている。端水平載置面１１０の各々と、側水平載置面１０６の各々とは、実質的に同一水平面上に存在する。
【００２５】
フロア支持ユニット１００の各々において、水平上端面１０２は、直立支持部材４の各々の上端支持部１８における水平上端面２４、ジョイント部材８（図１８及び図１９参照）の各々の鉛直外板７６と鉛直内板７８の上端面８８及び上端連結板８０の上面８１、及び水平横梁部材６の水平上端面６２から形成される。側鉛直面１０４の各々は、直立支持部材４の各々の該上端支持部１８における側鉛直面２６の各々、ジョイント部材８の各々の鉛直外板７６と鉛直内板７８の側鉛直面９０の各々、及び水平横梁部材６の側鉛直面６４の各々から形成される。側水平載置面１０６の各々は、直立支持部材４の各々の上端支持部１８における側水平載置面３２の各々、ジョイント部材８の各々の水平面９２の各々、及び水平横梁部材６の側水平載置面６８の各々から形成される。端鉛直面１０８の各々は、直立支持部材４の各々の上端支持部１８における他端鉛直面３０から形成される。そして、端水平載置面１１０の各々は、直立支持部材４の各々の上端支持部１８における他端水平載置面３６から形成される。
【００２６】
図２、図３及び図９を参照して、フロア部材１０は、矩形の水平上面１２０ａを備えた平板状の床本体１２０と、床本体１２０の両側部の下面からそれぞれ下方に突出する側突出壁１２２と、床本体１２０の両端部の下面からそれぞれ下方に突出する端突出壁１２４とを備えている。側突出壁１２２の各々は、床本体１２０の両側からそれぞれ下方に水平上面１２０ａに対し直角に延び出す側外面１２２ａを有している。端突出壁１２４の各々は、床本体１２０の両端からそれぞれ下方に水平上面１２０ａに対し直角に延び出す端外面１２４ａを有している。側突出壁１２２の各々の下面１２２ｂ及び端突出壁１２４の各々の下面１２４ｂは、床本体１２０の水平上面１２０ａに平行な実質的に同一水平面上に存在する。側突出壁１２２の各々には、ボルト挿入用の貫通穴１２６が複数個形成され、端突出壁１２４の各々には、ボルト挿入用の貫通穴１２８が複数個形成されている。
【００２７】
図１及び図１０を参照して、複数のフロア部材１０は、フロア支持ユニット１００の各々の上端部間に分離自在に連結され、フロア支持ユニット１００の各々の水平上端面１０２と、フロア部材１０の各々の水平上面１２０ａとは、実質的に同一水平面上に位置付けられる。
【００２８】
図４、図８、図１０、図２２〜図２５を参照して、フロア部材１０の各々の連結について更に具体的に説明する。縦方向に隣合うフロア支持ユニット１００の各々において、縦方向に隣合う側水平載置面１０６の各々上には、複数のフロア部材１０が、横方向に相互に隣接してかつ、対応する端突出壁１２４の下面１２４ｂを介して載置される。フロア部材１０の各々が、縦方向に隣合うフロア支持ユニット１００の各々における側水平載置面１０６上に載置された状態で、横方向に相互に隣合うフロア部材１０の各々の側外面１２２ａは相互に対向して位置付けられかつ、フロア部材１０の各々の端外面１２４ａの各々は、フロア支持ユニット１００の各々の上端部の、対応する側鉛直面１０４に対向して位置付けられる。
【００２９】
縦方向の両側（図１０において左右両側）に位置するフロア支持ユニット１００の各々の上端部と、該上端部の各々の、縦方向の内側に位置する側水平載置面１０６上に載置された、フロア部材１０の各々の、対応する端突出壁１２４とは、締結手段であるボルト１３０及びナット１３２により分離自在に締結される。図２２には、縦方向の片側（図１０において左側）に位置する直立支持部材４の上端支持部１８と、上端支持部１８の、縦方向の内側（図１０において右側）に位置する側水平載置面３２上に載置された、フロア部材１０の、対応する端突出壁１２４との連結状態が図示されている。ボルト１３０は、相互に整合された、直立支持部材４の上端支持部１８の貫通穴２７及びフロア部材１０の端突出壁１２４の貫通穴１２８を通して挿入され、ナット１３２により分離自在に締結されている。直立支持部材４の上端支持部１８の最外側鉛直面３８と、フロア部材１０の側突出壁１２２の下面１２２ｂとの間は、直角な連結金具１３４を介して、複数のボルト１３６により分離自在に締結されている。直立支持部材４の上端支持部１８の最外側鉛直面３８及びフロア部材１０の側突出壁１２２の下面１２２ｂの、連結金具１３４が締結される位置には、埋設された図示しない雌ねじ部材の一端が開口している。フロア部材１０と水平横梁部材６との連結も実質的に同じである。
【００３０】
縦方向の中間に位置するフロア支持ユニット１００の各々の上端部と、該上端部の各々の、縦方向の両側に位置する側水平載置面１０６の各々上に載置された、フロア部材１０の各々の、対応する端突出壁１２４の各々とは、締結手段であるボルト１３８及びナット１４０により分離自在に締結される。図２３には、縦方向の中間に位置する一つの直立支持部材４の上端支持部１８と、該上端支持部１８の、縦方向の両側に位置する側水平載置面３２上に載置された、フロア部材１０の各々の、対応する端突出壁１２４との連結状態が図示されている。ボルト１３８は、相互に整合された、片方のフロア部材１０の端突出壁１２４の貫通穴１２８、直立支持部材４の上端支持部１８の貫通穴２７及び他方のフロア部材１０の端突出壁１２４の貫通穴１２８を通して挿入され、ナット１４０により分離自在に締結されている。直立支持部材４の上端支持部１８の最外側鉛直面３８の各々と、対応するフロア部材１０の側突出壁１２２の下面１２２ｂとの間は、直角な連結金具１３４を介して、複数のボルト１３６により分離自在に締結されている。直立支持部材４の上端支持部１８の最外側鉛直面３８の各々と、対応するフロア部材１０の側突出壁１２２の下面１２２ｂの、連結金具１３４が締結される位置には、埋設された図示しない雌ねじ部材の一端が開口している。
【００３１】
図２４には、縦方向の中間に位置する一つの水平横梁部材６と、該水平横梁部材６の、縦方向の両側に位置する側水平載置面６８上に載置された、フロア部材１０の各々の、対応する端突出壁１２４との連結状態が図示されている。ボルト１４２は、相互に整合された、片方のフロア部材１０の端突出壁１２４の貫通穴１２８、水平横梁部材６の貫通穴６７及び他方のフロア部材１０の端突出壁１２４の貫通穴１２８を通して挿入され、ナット１４４により分離自在に締結されている。ボルト１４２及びナット１４４は、締結手段を構成する。水平横梁部材６の最外側鉛直面７０の各々と、対応するフロア部材１０の側突出壁１２２の下面１２２ｂとの間は、直角な連結金具１４６を介して、複数のボルト１４８により分離自在に締結されている。水平横梁部材６の最外側鉛直面７０の各々と、対応するフロア部材１０の側突出壁１２２の下面１２２ｂの、連結金具１４６が締結される位置には、埋設された図示しない雌ねじ部材の一端が開口している。
【００３２】
図２５に示されているように、横方向に相互に隣合うフロア部材１０の各々の側突出壁１２２は、相互に、締結手段であるボルト１５０及びナット１５２により分離自在に締結される。ボルト１５０は、相互に整合された、フロア部材１０の各々の側突出壁１２２の貫通穴１２６を通して挿入され、ナット１５２により分離自在に締結されている。水平横梁部材６の最外側鉛直面７０と、横方向に相互に隣合うフロア部材１０の各々の側突出壁１２２の下面１２２ｂとの間は、直角な連結金具１４６を介して、複数のボルト１４８により分離自在に締結されている。水平横梁部材６の最外側鉛直面７０の各々と、横方向に相互に隣合うフロア部材１０の各々の側突出壁１２２の下面１２２ｂの、連結金具１４６が締結される位置には、埋設された雌ねじ部材の一端が開口している（図２５において、側突出壁１２２に埋設された雌ねじ部材１５３が図示されている）。
【００３３】
図３〜図５、図１０及び図１２を参照して、縦方向の両側に位置するフロア支持ユニット１００（図１０において左右両側、図１２において上下両端）の各々の上端部における側鉛直面１０４の各々のうち、縦方向の外側に位置する側鉛直面１０４の各々と、横方向の両端に位置するフロア部材１０の各々における側突出壁１２２の各々のうち、横方向の外側に位置する側突出壁１２２の各々の側外面１２２ａと、縦方向に隣合うフロア支持ユニット１００の各々における端鉛直面１０８の各々とは、相互に実質的に連続する、平面矩形の鉛直外周面１６０を形成する。図１２に明示されているように、鉛直外周面１６０の周方向の全領域には、フェンス手段を構成する複数の鉄筋コンクリート製のフェンス１２が直立して分離自在に配設されている。図１２に示す実施形態においては、説明の便宜上、フェンス１２を、鉛直外周面１６０の全周にわたって配設しているが、実用上は、鉛直外周面１６０の一部領域を除く周方向の他の全領域に配設することが好ましい。フェンス１２を鉛直外周面１６０の周方向の一部領域に配設しない理由は、人や車両の出入り用通路を設置するためである。
【００３４】
図１、図２、図１２、図２６及び図２７を参照して、フェンス１２の各々は、一定の横断面形状を有しかつ、一定の高さで細長く水平方向に延在する本体１７０と、本体１７０の下端部の内側において本体１７０と協働して本体１７０の長手方向の全域にわたって形成された雨樋１７２とを備えている。雨樋１７２は、本体１７０の下端部の内側面から実質的に水平に延び出す底壁１７４と、底壁１７４の先端から少なくとも上方に、実施形態においては上方及び下方に延び出して本体１７０に対し底壁１７４を挟んで対向する被支持壁１７６とを備えている。被支持壁１７６は、水平上面１７６ａと、水平下面１７６ｂと、水平上面１７６ａ及び水平下面１７６ｂ間を延在する鉛直面１７６ｃとを備えている。鉛直面１７６ｃは、被支持壁１７６の、雨樋１７２に対し水平方向の反対側に位置している。被支持壁１７６には、ボルト挿入用の貫通穴１７７が複数個形成されている。複数のフェンス１２における雨樋１７２の底壁１７４には、排水口１７８が形成されている。
【００３５】
横方向の両端（図１２において左右端）に位置するフェンス１２の各々における被支持壁１７６の両端部の下面１７６ａは、対応するフロア支持ユニット１００の端水平載置面１１０上に載置され、被支持壁１７６の鉛直面１７６ｃは、対応するフロア支持ユニット１００の端鉛直面１０８（直立支持部材４の端鉛直面３０）及び対応するフロア部材１０の側突出壁１２２の側外面１２２ａに対向して位置付けられる。フェンス１２の各々における被支持壁１７６の両端部は、貫通穴１７７を通して挿入した図示しないボルトを、直立支持部材４の端鉛直面３０に開口する雌ねじ部材３１に締結することにより、端鉛直面３０に分離自在に締結される。フェンス１２の各々における被支持壁１７６の中間部は、相互に整合された、被支持壁１７６の貫通穴１７７及び対応するフロア部材１０の側突出壁１２２の貫通穴１２６に挿入したボルト１８０及びナット１８２により分離自在に締結される（図２６）。ボルト１８０及びナット１８２は、締結手段を構成する。フェンス１２の各々における被支持壁１７６の水平上面１７６ａと、対応するフロア部材１０の側突出壁１２２の側外面１２２ａの上端部との間は、直角な連結金具１８４を介して、複数のボルト１８６により分離自在に締結されている。フェンス１２の各々における被支持壁１７６の水平上面１７６ａと、対応するフロア部材１０の側突出壁１２２の側外面１２２ａの上端部の、連結金具１８４が締結される位置には、埋設された図示しない雌ねじ部材の一端が開口している。図１１には、組立式棚構造体２において、横方向の両端にフェンス１２が装着された状態が図示されている。
【００３６】
縦方向の両側（図１２において上端及び下端）に位置するフェンス１２の各々における被支持壁１７６の下面１７６ｂは、それぞれ、縦方向の両側に位置するフロア支持ユニット１００の側水平載置面１０６であって、縦方向外側に位置する側水平載置面１０６上に載置され、被支持壁１７６の鉛直面１７６ｃは、対応するフロア支持ユニット１００の側鉛直面１０４であって、縦方向外側に位置する側鉛直面１０４に対向して位置付けられる。フェンス１２の各々における被支持壁１７６は、相互に整合された、被支持壁１７６の貫通穴１７７と、対応する直立支持部材４の上端支持部１８に設けられた貫通穴２７、水平横梁部材６に設けられた貫通穴６５及び対応するフロア部材１０の端突出壁１２４の貫通穴１２８に挿入したボルト１８８及びナット１９０により分離自在に締結される（図２７にその一部が図示されている）。ボルト１８８及びナット１９０は、締結手段を構成する。フェンス１２の各々における被支持壁１７６の水平上面１７６ａと、対応する上端支持部１８の側鉛直面２６の上端部及び対応するフロア部材１０の端突出壁１２４の側外面１２４ａの上端部との間は、それぞれ、直角な連結金具１８４を介して、複数のボルト１８６により分離自在に締結されている。フェンス１２の各々における被支持壁１７６の水平上面１７６ａと、対応する上端支持部１８の側鉛直面２６の上端部及び対応するフロア部材１０の端突出壁１２４の側外面１２４ａの上端部の、連結金具１８４が締結される位置には、埋設された図示しない雌ねじ部材の一端が開口している。図６には、組立式棚構造体２において、縦方向の両端にフェンス１２が装着された状態が図示されている。
【００３７】
図１２、図１３、図２６及び図２７を参照して、フェンス１２の各々の雨樋１７２における長手方向の両端及び中間には、それぞれ補強用の仕切り１９２が配設されている。仕切り１９２は、本体１７０と被支持壁１７６との間を一定の幅で雨樋１７２を横切るよう形成されている。仕切り１９２の各々の上面は、被支持壁１７６の水平上面１７６ａと実質的に同一水平面上に存在する。少なくとも長手方向の中間に位置する仕切り１９２の底部には貫通穴１９４が形成され、該仕切り１９２の両側の雨樋１７２を相互に連通させている。平面から見てほぼ矩形状に配列されたフェンス１２の各々において、相互に隣合うフェンス１２の各々の、相互に隣合う仕切り１９２に貫通穴を設け、ボルト＆ナットにより相互に分離自在に締結することが好ましい（不図示）。４個のフェンス１２は、各々の長手方向の一端部が水平方向直角に曲げられて、矩形の角部に位置付けられている。フェンス１２の各々の被支持壁１７６の水平上面１７６ａは、実質的に同一水平面上に位置付けられているフロア支持ユニット１００及びフロア部材１０の各々の上面よりも低い位置に位置付けられる。この構成は、該水平面上の水を、フェンス１２の各々の雨樋１７２に円滑に排水するのに寄与する。フェンス１２の各々において、排水口１７８は、雨樋１７２の長手方向における一端部又は両端部に形成されているが、もちろん、この実施形態に限定されるものではない。
【００３８】
上記組立式棚構造体２は、クレーンを利用して、概ね次の順序での設置することができる。なお、クレーンを利用して吊り上げる、直立支持部材４等、重量の重い構成部材の各々には、吊り上げ用の金具、例えば図示しない複数のアイボルトを、適宜の位置に分離自在に装着できるよう構成することが好ましい。
【００３９】
図１〜図３を参照して、先ず実質的に平坦な表面（例えば、整地された地面、コンクリート製のフロア）上に、複数の直立支持部材４を、横方向及び縦方向にそれぞれ相互に一定の間隔を置いて載置する。横方向に相互に隣合う直立支持部材４の各々は、各々の一端鉛直面２８同士が相互に向き合うよう配置する。横方向に相互に隣合う直立支持部材４の各々の一端鉛直面２８に、ジョイント部材８の鉛直外板７６をボルトＢにより分離自在に締結する（図２０及び図２１）。ジョイント部材８の各々には、外部に開放された内部空間Ｓが配設されているので、上記ボルト締め作業は、内部空間Ｓに手を挿入して、容易かつ迅速に行うことができる。
【００４０】
続いて、横方向に相互に隣合う直立支持部材４の各々のジョイント部材８間に、クレーンにより吊り上げた水平横梁部材６を上方から降下させ、両端部を、直立支持部材４の各々の仮支持凹部４０上に、一旦載置する。これにより水平横梁部材６の、直立支持部材４の各々に対する仮の位置決めが容易かつ確実に行われる。また落下も確実に防止される。直立支持部材４の各々の仮支持凹部４０間に載置した水平横梁部材６を、わずかにクレーンで吊り上げた状態とし、水平横梁部材６の端鉛直面６６の各々と、ジョイント部材８の鉛直内板７８をボルトＢにより分離自在に締結する（図２０及び図２１）。このボルト締め作業も、内部空間Ｓに手を挿入して、容易かつ迅速に行うことができる。その結果、鉄筋コンクリート製の水平横梁部材６は、横方向に相互に隣合う鉄筋コンクリート製の直立支持部材４の各々間に、板金製のジョイント部材８の各々を介して、容易かつ迅速に連結される。このようにして、横方向に一列に延在する複数のフロア支持ユニット１００が、縦方向に等間隔をおいて配置される。
【００４１】
所定の数のフロア支持ユニット１００を、縦方向に等間隔をおいて配置した後、縦方向に向き合ったフロア支持ユニット１００の各々の上端部間に、クレーンで吊り上げたフロア部材１０を降下させ、フロア支持ユニット１００の各々の、縦方向に向き合った側に存在する側水平載置面１０６の各々上に、フロア部材１０の端突出壁１２４の各々をそれぞれ載置する。フロア部材１０の端突出壁１２４の各々と、対応するフロア支持ユニット１００上端部とを、先に述べたとおりにして、ボルト１３０及びナット１３２、ボルト１３８及びナット１４０、ボルト１４２及びナット１４４などの締結手段により分離自在に締結する（図２２〜図２４参照）。このような動作を繰り返して、縦方向に向き合ったフロア支持ユニット１００の各々の上端部間に、複数のフロア部材１０を配設する。そして、横方向に相互に隣接するフロア部材１０の側突出壁１２２間を、先に述べたとおりにして、ボルト１５０及びナット１５２からなる締結手段により分離自在に連結する（図２５参照）。このように、フロア部材１０の各々を、縦方向に向き合ったフロア支持ユニット１００の各々の上端部間に載置するだけで、相互間の位置決め及び連結を容易かつ迅速に行なうことができる。しかも、フロア支持ユニット１００の各々の水平上端面１０２と、フロア部材１０の各々の水平上面１２０ａとを、実質的に同一水平面上に位置付けることができる。この水平面は、組立式棚構造体２のフロア面Ｆを構成する。
【００４２】
続いて、クレーンで吊り上げたフェンス１２を降下させて、被支持壁１７６の下面１７６ｂを鉛直外周面１６０（図１２）の外側に存在する水平載置面（側水平載置面１０６及び端水平載置面１１０）上に載置し、クレーンで吊った状態で、先に述べたとおりにして、被支持壁１７６を鉛直外周面１６０にボルト１８０及びナット１８２、ボルト１８８及びナット１９０などの締結手段により分離自在に締結する。このように、フェンス１２の各々を、鉛直外周面１６０（図１２）の外側に存在する水平載置面上に載置するだけで、相互間の位置決め及び連結を容易かつ迅速に行なうことができる。
【００４３】
このように、本発明の組立式棚構造体２によれば、組立式棚構造体２を構成する、直立支持部材４、水平横梁部材６、ジョイント部材８、フロア部材１０、フェンス１２などの相互間の位置決め、連結を容易かつ迅速におこなうことが可能であるので、設置現場における設置、使用後における分解撤去、分解撤去後における他の設置現場への搬送及び再設置などを容易かつ迅速に遂行することを可能にする。その結果、設置、分解撤去、分解撤去後における他の設置現場への搬送及び再設置におけるそれぞれの時間を短縮し、トータルコストの低減を可能にする。
【００４４】
また、組立式棚構造体２を構成する主要部材は、直立支持部材４、水平横梁部材６、ジョイント部材８、フロア部材１０、フェンス１２の５種類であり、しかも、それぞれ実質的に同一の構成を有している（それぞれ共通部品からなる）。その結果、全体として部品の種類及び部品点数が少なく、全体の構成がシンプルであり、トータルコストの低減を可能にする。
【００４５】
更にはまた、フロア支持ユニット１００の各々間を分離自在に連結する部材は、フロア部材１０のみであり、Ｈ鋼などの縦梁部材は一切使用されないので、この点においても、全体として部品の種類及び部品点数が少なく、全体の構成がシンプルであり、トータルコストの低減を可能にするのである。
【００４６】
図２８には、本発明による組立式棚構造体２を立体駐車場に適用した実施形態が図示されている。フロアＦの一角近傍には、フェンス１２が省略された領域が形成され、この領域と地面との間に斜路２００が配設されている。
【００４７】
図示の実施形態において、直立支持部材４の各々は、実質的に平坦な表面上に載置されるが、地面に埋設された、実質的に平坦な表面を有する複数の基礎上に載置して、分離自在に固定する他の実施形態もある。したがって、「実質的に平坦な表面上に載置される」とは、実質的に平坦な表面上に載置されて固定されない実施形態、及び、実質的に平坦な表面上に載置されて分離自在に固定される実施形態、の両方を含むものである。
【図面の簡単な説明】
【００４８】
【図１】本発明に従って構成された組立式棚構造体の実施形態を、手前のフェンスを省略して正面から見た斜視図である。
【図２】図１に示す組立式棚構造体の要部を分解して正面から見た斜視図である。
【図３】図１に示す組立式棚構造体の要部を分解して示す正面図である。
【図４】図３に示す組立式棚構造体の組付け状態を示す正面図であって、一部を省略して示す正面図である。
【図５】図１に示す組立式棚構造体の正面概略図であって、フェンスを省略して示す正面概略図である。
【図６】図５に示す組立式棚構造体において、フェンスを取り付けた状態を示す正面概略図である。
【図７】図１に示す組立式棚構造体の要部を分解して示す側面図である。
【図８】図７に示す組立式棚構造体の組付け状態を示す側面図であって、一部を省略して示す側面図である。
【図９】図８に示す組立式棚構造体において、フロア部材が一対の水平横梁部材間に載置された状態のみを示す側面概略図である。
【図１０】図１に示す組立式棚構造体の側面概略図であって、フェンスを省略して示す側面図である。
【図１１】図１０に示す組立式棚構造体において、フェンスを取り付けた状態を示す側面概略図である。
【図１２】図１に示す組立式棚構造体の平面図であって、周囲にフェンスを取り付けた状態を示す平面図である。
【図１３】図１２に示す組立式棚構造体の一部を拡大して更に詳細に示す平面図である。
【図１４】図１に示す組立式棚構造体に備えられている直立支持部材の正面図である。
【図１５】図１４に示す直立支持部材を図１４において左方から見た側面図である。
【図１６】図１４に示す直立支持部材を図１４において右方から見た側面図である。
【図１７】図１４に示す直立支持部材の平面図である。
【図１８】図１に示す組立式棚構造体に備えられているジョイント部材の正面図である。
【図１９】図１８に示すジョイント部材の側面図である。
【図２０】図１８に示すジョイント部材の使用状態を示す図であって、図５のＡ部拡大断面図である。
【図２１】図２０の上面図である。
【図２２】図１０のＢ部拡大詳細図である。
【図２３】図１０のＣ部拡大詳細図である。
【図２４】図７に示す水平横梁部材と、一対のフロア部材とが接続された状態を示す拡大詳細図である。
【図２５】図４のＤ部拡大詳細図である。
【図２６】図４のＥ部拡大詳細図である。
【図２７】図８のＦ部拡大詳細図である。
【図２８】本発明に従って構成された組立式棚構造体を立体駐車場に適用した他の実施形態を示す斜視図である。
【符号の説明】
【００４９】
２：組立式棚構造体
４：直立支持部材
６：水平横梁部材
８：ジョイント部材
１０：フロア部材
１２：フェンス
【図１】
2007051512.tif 000003
【図２】
2007051512.tif 000004
【図３】
2007051512.tif 000005
【図４】
2007051512.tif 000006
【図５】
2007051512.tif 000007
【図６】
2007051512.tif 000008
【図７】
2007051512.tif 000009
【図８】
2007051512.tif 000010
【図９】
2007051512.tif 000011
【図１０】
2007051512.tif 000012
【図１１】
2007051512.tif 000013
【図１２】
2007051512.tif 000014
【図１３】
2007051512.tif 000015
【図１４】
2007051512.tif 000016
【図１５】
2007051512.tif 000017
【図１６】
2007051512.tif 000018
【図１７】
2007051512.tif 000019
【図１８】
2007051512.tif 000020
【図１９】
2007051512.tif 000021
【図２０】
2007051512.tif 000022
【図２１】
2007051512.tif 000023
【図２２】
2007051512.tif 000024
【図２３】
2007051512.tif 000025
【図２４】
2007051512.tif 000026
【図２５】
2007051512.tif 000027
【図２６】
2007051512.tif 000028
【図２７】
2007051512.tif 000029
【図２８】
2007051512.tif 000030
【手続補正書】
【提出日】平成17年10月7日(2005.10.7)
【手続補正１】
【補正対象書類名】特許請求の範囲
【補正対象項目名】請求項４
【補正方法】変更
【補正の内容】
【請求項４】
該フロア支持ユニットの各々の該上端部は、該水平縦方向に実質的に一定の幅をもって該水平横方向に実質的に連続して細長く延在する矩形の該水平上端面と、該水平上端面の該水平縦方向両側からそれぞれ鉛直下方に実質的に同じ長さ延びかつ、該水平横方向に実質的に連続して延在する側鉛直面と、該側鉛直面の各々の下端からそれぞれ該水平縦方向に実質的に同じ長さ延び出しかつ、該水平横方向に実質的に連続して延在する側水平載置面と、該水平上端面の該水平横方向の両端からそれぞれ鉛直下方に実質的に同じ長さ延びる端鉛直面と、該端鉛直面の各々の下端からそれぞれ該水平横方向に延び出しかつ、該水平横方向に延び出した領域が更に該水平縦方向両側に延び出す端水平載置面とを備え、該端水平載置面の各々と、該側水平載置面の各々とは、実質的に同一水平面上に存在し、
該フロア部材の各々は、矩形の該水平上面を備えた平板状のフロア本体と、該フロア本体の両側部の下面からそれぞれ下方に突出する側突出壁と、該フロア本体の両端部の下面からそれぞれ下方に突出する端突出壁とを備え、該側突出壁の各々は、該フロア本体の両側からそれぞれ下方に該水平上面に対し直角に延び出す側外面を有し、該端突出壁の各々は、該フロア本体の両端からそれぞれ下方に該水平上面に対し直角に延び出す端外面を有し、該側突出壁の各々及び該端突出壁の各々の下面は、該フロア本体の該水平上面に平行な実質的に同一水平面上に存在し、
該水平縦方向に隣合う該フロア支持ユニットの各々において、該水平縦方向に隣合う該側水平載置面の各々上には、複数の該フロア部材が、該水平横方向に相互に隣接してかつ、対応する該端突出壁の該下面を介して載置され、該フロア部材の各々が、該水平縦方向に隣合う該フロア支持ユニットの各々における該側水平載置面上に載置された状態で、該水平横方向に相互に隣合う該フロア部材の各々の該側外面は相互に対向して位置付けられかつ、該フロア部材の各々の該端外面の各々は、該フロア支持ユニットの各々の該上端部の、対応する該側鉛直面に対向して位置付けられ、
該水平縦方向の両側に位置する該フロア支持ユニットの各々の該上端部と、該上端部の各々の、該水平縦方向の内側に位置する該側水平載置面上に載置された、該フロア部材の各々の、対応する該端突出壁とは、締結手段により分離自在に締結され、
該水平縦方向の中間に位置する該フロア支持ユニットの各々の該上端部と、該上端部の各々の、該水平縦方向の両側に位置する該側水平載置面の各々上に載置された、該フロア部材の各々の、対応する該端突出壁の各々とは、締結手段により分離自在に締結される、請求項３記載の組立式棚構造体。
【手続補正２】
【補正対象書類名】明細書
【補正対象項目名】０００６
【補正方法】変更
【補正の内容】
【０００６】
本発明によれば、
水平横方向及び該水平横方向に直交する水平縦方向にそれぞれ相互に一定の間隔を置いて実質的に平坦な表面上に載置される複数の鉄筋コンクリート製直立支持部材と、該水平横方向に隣合う該直立支持部材間に連結される１個の水平横梁部材と、それぞれ、該水平縦方向に隣合う該直立支持部材の各々間及び該水平横梁部材の各々間における空間の上端領域を実質的に覆うよう連結される複数の鉄筋コンクリート製フロア部材とを備えた組立式棚構造体において、直立支持部材の各々は、該水平縦方向に所定の幅をもって該水平横方向に所定の長さ延在するところの、該表面上に載置される基部と、該基部から鉛直上方に延びる直立部と、該直立部の上端を該水平横方向に延在する上端支持部とを備え、該上端支持部は、該水平横方向の一端に配設された一端鉛直面を備え、該水平横梁部材の各々は、鉄筋コンクリートから一体に形成されると共に該水平横方向の両端に端鉛直面が形成され、該水平横方向に相互に隣合う該直立支持部材の各々は、各々の該一端鉛直面同士が相互に向き合うよう配置され、相互に向き合わされた該一端鉛直面の各々には、外方に開放された内部空間を有する金属製ジョイント部材が、該内部空間から締結手段により分離自在に締結され、該水平横梁部材の該端鉛直面の各々は、対応する該ジョイント部材に、該内部空間から締結手段により分離自在に締結される、ことを特徴とする組立式棚構造体、が提供される。
該直立支持部材の各々の該上端支持部は、該上端支持部の該一端鉛直面の下領域周縁から該水平横方向に延び出して上方に開放される仮支持凹部を備え、該水平横梁部材の各々の両端部における下領域は、対応する該直立支持部材の該仮支持凹部内に位置付けられる、ことが好ましい。
相互に締結された、該水平横方向に隣合う該直立支持部材の各々、該ジョイント部材の各々及び該水平横梁部材により、該水平横方向に延在するフロア支持ユニットが形成され、該フロア支持ユニットは、該水平縦方向に等間隔をおいて複数配置され、該フロア支持ユニットの各々の上端部は矩形の水平上端面を備え、該フロア部材の各々は矩形の水平上面を備え、該フロア支持ユニットの各々の該上端部間には、複数の該フロア部材が分離自在に連結され、該フロア支持ユニットの各々の該水平上端面と、該フロア部材の各々の該水平上面とは、実質的に同一水平面上に位置付けられる、ことが好ましい。
該フロア支持ユニットの各々の該上端部は、該水平縦方向に実質的に一定の幅をもって該水平横方向に実質的に連続して細長く延在する矩形の該水平上端面と、該水平上端面の該水平縦方向両側からそれぞれ鉛直下方に実質的に同じ長さ延びかつ、該水平横方向に実質的に連続して延在する側鉛直面と、該側鉛直面の各々の下端からそれぞれ該水平縦方向に実質的に同じ長さ延び出しかつ、該水平横方向に実質的に連続して延在する側水平載置面と、該水平上端面の該水平横方向の両端からそれぞれ鉛直下方に実質的に同じ長さ延びる端鉛直面と、該端鉛直面の各々の下端からそれぞれ該水平横方向に延び出しかつ、該水平横方向に延び出した領域が更に該水平縦方向両側に延び出す端水平載置面とを備え、該端水平載置面の各々と、該側水平載置面の各々とは、実質的に同一水平面上に存在し、該フロア部材の各々は、矩形の該水平上面を備えた平板状のフロア本体と、該フロア本体の両側部の下面からそれぞれ下方に突出する側突出壁と、該フロア本体の両端部の下面からそれぞれ下方に突出する端突出壁とを備え、該側突出壁の各々は、該フロア本体の両側からそれぞれ下方に該水平上面に対し直角に延び出す側外面を有し、該端突出壁の各々は、該フロア本体の両端からそれぞれ下方に該水平上面に対し直角に延び出す端外面を有し、該側突出壁の各々及び該端突出壁の各々の下面は、該フロア本体の該水平上面に平行な実質的に同一水平面上に存在し、該水平縦方向に隣合う該フロア支持ユニットの各々において、該水平縦方向に隣合う該側水平載置面の各々上には、複数の該フロア部材が、該水平横方向に相互に隣接してかつ、対応する該端突出壁の該下面を介して載置され、該フロア部材の各々が、該水平縦方向に隣合う該フロア支持ユニットの各々における該側水平載置面上に載置された状態で、該水平横方向に相互に隣合う該フロア部材の各々の該側外面は相互に対向して位置付けられかつ、該フロア部材の各々の該端外面の各々は、該フロア支持ユニットの各々の該上端部の、対応する該側鉛直面に対向して位置付けられ、該水平縦方向の両側に位置する該フロア支持ユニットの各々の該上端部と、該上端部の各々の、該水平縦方向の内側に位置する該側水平載置面上に載置された、該フロア部材の各々の、対応する該端突出壁とは、締結手段により分離自在に締結され、該水平縦方向の中間に位置する該フロア支持ユニットの各々の該上端部と、該上端部の各々の、該水平縦方向の両側に位置する該側水平載置面の各々上に載置された、該フロア部材の各々の、対応する該端突出壁の各々とは、締結手段により分離自在に締結される、ことが好ましい。
該水平横方向に相互に隣合う該フロア部材の各々の該側突出壁は、相互に、締結手段により分離自在に締結される、ことが好ましい。
該水平縦方向の該両側に位置する該フロア支持ユニットの各々の該上端部における該側鉛直面の各々のうち、該水平縦方向の外側に位置する該側鉛直面の各々と、該水平横方向の両端に位置する該フロア部材の各々における該側突出壁の各々のうち、該水平横方向の外側に位置する該側突出壁の各々の該側外面と、該水平縦方向に隣合う該フロア支持ユニットの各々における該端鉛直面の各々とは、相互に実質的に連続する、平面矩形の鉛直外周面を形成する、ことが好ましい。
該鉛直外周面の周方向の一部領域を除く周方向の他の全領域には、フェンス手段が直立して分離自在に配設される、ことが好ましい。
該フェンス手段は、複数の鉄筋コンクリート製のフェンスからなり、該フェンスの各々は、一定の横断面形状を有しかつ、一定の高さで細長く水平方向に延在する本体と、該本体の下端部の内側において該本体と協働して該本体の長手方向の全域にわたって形成された雨樋とを備え、該雨樋は、該本体の該下端部の内側面から実質的に水平に延び出す底壁と、該底壁の先端から少なくとも上方に延び出して該本体に対し該底壁を挟んで対向する被支持壁とを備え、該フェンスの各々の該被支持壁は、対応する該鉛直外周面に締結手段を介して分離自在に締結される、ことが好ましい。
複数の該フェンスにおける該雨樋の該底壁には、排水口が形成される、ことが好ましい。
該水平横方向の両端に位置する該フェンスの各々における該被支持壁の両端部の下面は、対応する該フロア支持ユニットの該端水平載置面上に載置され、該水平縦方向の両側に位置する該フェンスの各々における該被支持壁の下面は、それぞれ、該水平縦方向の両側に位置する該フロア支持ユニットの該側水平載置面であって、該水平縦方向外側に位置する該側水平載置面上に載置される、ことが好ましい。
該直立支持部材の各々の該直立部は、該基部から鉛直上方に延びかつ該水平縦方向の厚さを規定する両側面と、該水平横方向の長さを規定する両端面とを有し、該上端支持部は、該水平縦方向に一定の幅を持って該水平横方向に所定の長さ延在する、矩形の水平上端面と、該水平上端面の該水平縦方向両側からそれぞれ鉛直下方に実質的に同じ長さ延びる側鉛直面と、該水平上端面の該水平横方向の一端から鉛直下方に延びる該一端鉛直面と、該水平上端面の該水平横方向の他端から鉛直下方に延びる他端鉛直面と、該側鉛直面の各々の下端からそれぞれ該水平縦方向に実質的に同じ長さ延び出す側水平載置面と、該側水平載置面の各々の、該水平横方向の一端における該水平縦方向の両側部から、該水平縦方向に実質的に同じ幅をもって該水平横方向に平行に実質的に同じ長さ延びる一対の一端水平載置面と、該他端鉛直面の下端から該水平横方向に所定の長さ延び出しかつ、該水平横方向に延び出した領域が更に該水平縦方向両側に延び出す他端水平載置面と、該側水平載置面の各々、該一端水平載置面の各々及び該他端水平載置面の、該水平縦方向両側からそれぞれ鉛直下方に実質的に同じ長さ延びる最外側鉛直面とを備え、該上端支持部の該最外側鉛直面の各々は、それぞれ、該直立部の該側面から該水平縦方向に実質的に同じ長さ突出した位置に存在し、該上端支持部の該仮支持凹部は、該一対の一端水平載置面間に形成されかつ、該一対の一端水平載置面の、該水平縦方向内縁から鉛直下方に実質的に同じ長さ延びる内側鉛直面と、該内側鉛直面の各々の下端から相互に接近する下方に実質的に同じ長さ延びる内側傾斜面と、該内側傾斜面の各々の下端間を延在する水平底面とを備え、該上端支持部の該一端鉛直面は、該仮支持凹部の、該水平横方向における内側端を規定する、ことが好ましい。
該上端支持部の断面における輪郭は、該水平横方向の一端から他端にわたって一定であり、該上端支持部の該最外側鉛直面の各々における下端と、該直立部の該側面の各々における上端とは、該水平横方向に見て、該上端支持部の該最外側鉛直面の各々の下端から該直立部の上端に向かって傾斜する外側傾斜面により接続される、ことが好ましい。
該直立支持部材の該基部は、実質的に一定の厚さを有しかつ、該水平縦方向に一定の幅をもって該水平横方向に平行に実質的に同じ長さ延在する側面と、該側面の各々と実質的に同じ厚さを有しかつ、該側面の各々の、該水平横方向の両端において相互に該水平縦方向に平行に延在する端面とからなる実質的に矩形の下部周面と、該下部周面の上端から該直立部の下端まで上方に傾斜する傾斜上面とを備え、該上端支持部は、該一対の一端水平載置面の、該水平横方向における先端、及び該仮支持凹部の、該水平横方向における先端、の各々から実質的に鉛直下方に延びる、該上端支持部の最一端鉛直面と、該他端水平載置面の先端から鉛直下方に延びる、該上端支持部の最他端鉛直面とが備えられ、該最一端鉛直面及び該最他端鉛直面は、それぞれ、該直立部の、該水平横方向における一端面及び他端面から該水平横方向に実質的に同じ長さ突出した位置に存在し、該基部の該下部周面における該端面の各々は、それぞれ、該上端支持部の該最一端鉛直面及び該最他端鉛直面から該水平横方向に実質的に同じ長さ突出した位置に存在し、該基部の該下部周面における該側面の各々は、それぞれ、該上端支持部の該最外側面の各々に対し、該水平横方向に実質的に同じ長さ突出した位置に存在する、ことが好ましい。
該水平横梁部材の各々は、該水平縦方向に一定の幅を持って該水平横方向に所定の長さ延在する、矩形の水平上端面と、該水平上端面の該水平縦方向の両側からそれぞれ鉛直下方に延びる側鉛直面と、該水平上端面の該水平横方向の両端から鉛直下方に延びる端鉛直面と、該側鉛直面の各々の下端からそれぞれ該水平縦方向に一定の長さ延び出す側水平載置面と、該側水平載置面の各々の側縁から鉛直下方に延びる最外側鉛直面と、該最外側鉛直面の各々の下端から下方に向かって相互に接近する方向に延びる傾斜下面と、該傾斜下面の各々の下端間を水平に延びる水平下面とを備えている、ことが好ましい。
ジョイント部材の各々は、相互に該水平横方向に間隔をおいて鉛直にかつ平行に延在しかつ、相互に実質的に同じ構成を有する鉛直外板及び鉛直内板と、該鉛直外板及び該鉛直内板間に配設されて該鉛直外板及び該鉛直内板を相互に連結する複数の連結板とを備え、該鉛直外板及び該鉛直内板は、該水平縦方向に延在する上端面と、該上端面の該水平縦方向の両側から鉛直下方に実質的に同じ長さ延びる側鉛直面と、該側鉛直面の各々の下端から該水平縦方向に実質的に同じ長さ延び出す水平面と、該水平面の各々の先端から鉛直下方に実質的に同じ長さ延びる最外側鉛直面と、該最外側鉛直面の各々の下端から相互に接近する下方に実質的に同じ長さ延びる傾斜下面と、該傾斜下面の各々の下端間を水平に延在する水平下面とを備え、複数の該連結板は、該鉛直外板及び該鉛直内板の該上端面に沿って該水平縦方向に延在する上端連結板と、該鉛直外板及び該鉛直内板の該最外側鉛直面の各々、該傾斜下面の各々及び該水平下面の各々に沿って延在する下領域連結板と、該鉛直外板及び該鉛直内板の該水平縦方向の中央において、該上端連結板と該下端領域連結板との間を鉛直に延在する中央鉛直連結板と、該中央鉛直板と、該側鉛直面の各々との間を水平に延在する少なくとも1個の水平連結板とを備え、該上端連結板の上面と該鉛直外板及び該鉛直内板の該上端面とは、実質的に同一水平面上に存在し、上端連結板の縦方向両端と、水平連結板の各々の、縦方向外側面の各々と、鉛直外板及び鉛直内板の、対応する側鉛直面の各々とは、実質的に同一鉛直面上に存在し、下領域連結板の上端面の各々と、鉛直外板及び鉛直内板の、対応する水平面の各々とは、横方向に延在する実質的に同一水平面上に存在し、該下領域連結板の外面と、該鉛直外板及び該鉛直内板の該最外側鉛直面の各々、該傾斜下面の各々及び該水平下面の各々とは、実質的に同一面上に存在し、該鉛直外板及び該鉛直内板間に該内部空間が形成され、該内部空間は、該水平横方向に隣合う該側鉛直面の各々間において該水平縦方向の外方に開放されかつ、該水平横方向に隣合う該水平面の各々間において鉛直上方の外方に開放され、該鉛直外板及び該鉛直内板には、それぞれ、相互に同心の複数のボルト挿入用の貫通穴が形成されている、ことが好ましい。
該直立支持部材の各々の該上端支持部には、該水平横方向に延在しかつ一端が該一端鉛直面に開口する、複数の雌ねじ部材が埋設され、該水平横梁部材の各々には、該水平横方向に延在しかつ一端が、それぞれ、該端鉛直面の各々に開口する、複数の雌ねじ部材が埋設され、該ジョイント部材の各々は、各々の該鉛直外板が、相互に該水平横方向に隣合う該直立支持部材の各々の該上端支持部における該一端鉛直面の各々に対向して位置付けられかつ、該内部空間からボルトをボルト挿入用の該貫通穴に挿入して該一端鉛直面の各々の雌ねじ部材に締結することにより、該一端鉛直面の各々に分離自在に締結され、また、各々の該鉛直内板が、該水平横梁部材の該端鉛直面の各々にそれぞれ対向して位置付けられかつ、該内部空間からボルトをボルト挿入用の該貫通穴に挿入して該端鉛直面の各々の雌ねじ部材に締結することにより、該端鉛直面の各々に分離自在に締結される、ことが好ましい。
該フロア支持ユニットの各々において、該水平上端面は、該直立支持部材の各々の該上端支持部における該水平上端面、該ジョイント部材の各々の該鉛直外板と該鉛直内板の該上端面及び該上端連結板の上面、及び該水平横梁部材の該水平上端面から形成され、該側鉛直面の各々は、該直立支持部材の各々の該上端部における該側鉛直面の各々、該ジョイント部材の各々の該鉛直外板と該鉛直内板の該側鉛直面の各々、及び該水平横梁部材の該側鉛直面の各々から形成され、該側水平載置面の各々は、該直立支持部材の各々の該上端支持部における該側水平載置面の各々、該ジョイント部材の各々の該水平面の各々、及び該水平横梁部材の該側水平載置面の各々から形成され、該端鉛直面の各々は、該直立支持部材の各々の該上端支持部における該他端鉛直面から形成され、該端水平載置面の各々は、該直立支持部材の各々の該上端支持部における該他端水平載置面から形成される、ことが好ましい。
【手続補正３】
【補正対象書類名】明細書
【補正対象項目名】００１３
【補正方法】変更
【補正の内容】
【００１３】
上端支持部１８の断面（縦方向に切断して横方向から見た断面）における輪郭は、横方向の一端から他端にわたって一定である。上端支持部１８の最外側鉛直面３８の各々における下端と、直立部１６の側面２０の各々における上端とは、横方向に見て、上端支持部１８の最外側鉛直面３８の各々の下端から直立部１６の上端に向かって傾斜する外側傾斜面４８により接続されている。
【手続補正４】
【補正対象書類名】明細書
【補正対象項目名】００１９
【補正方法】変更
【補正の内容】
【００１９】
鉛直外板７６及び鉛直内板７８は、縦方向に延在する上端面８８と、上端面８８の縦方向の両側から鉛直下方に実質的に同じ長さ延びる側鉛直面９０と、側鉛直面９０の各々の下端から縦方向に実質的に同じ長さ延び出す水平面９２と、水平面９２の各々の先端から鉛直下方に実質的に同じ長さ延びる最外側鉛直面９４と、最外側鉛直面９４の各々の下端から相互に接近する下方に実質的に同じ長さ延びる傾斜下面９６と、傾斜下面９６の各々の下端間を水平に延在する水平下面９８とを備えている。上端連結板８０は、鉛直外板７６及び鉛直内板７８の上端面８８に沿って縦方向に延在する。下領域連結板９８は、鉛直外板７６及び鉛直内板７８の最外側鉛直面９４の各々、傾斜下面９６の各々及び水平下面９８の各々に沿って延在する。中央鉛直連結板８４は、鉛直外板７６及び鉛直内板７８における縦方向の中央において、上端連結板８０と下端領域連結板９８との間を鉛直に延在する。水平連結板８６の各々は、中央鉛直連結板８４と側鉛直面９０の各々との間を、鉛直方向に間隔をおいて水平に延在する。
【手続補正５】
【補正対象書類名】明細書
【補正対象項目名】００２０
【補正方法】変更
【補正の内容】
【００２０】
上端連結板８０の上面８１と鉛直外板７６及び鉛直内板７８の上端面８８とは、実質的に同一水平面上に存在する。上端連結板８０の縦方向両端と、水平連結板８６の各々の、縦方向外側面の各々と、鉛直外板７６及び鉛直内板７８の、対応する側鉛直面９０の各々とは、実質的に同一鉛直面上に存在する。下領域連結板８２の上端面８３の各々と、鉛直外板７６及び鉛直内板７８の、対応する水平面９２の各々とは、実質的に同一水平面上に存在する。下領域連結板８２の外面と、鉛直外板７６及び鉛直内板７８の最外側鉛直面９４の各々、傾斜下面９６の各々及び水平下面９８の各々とは、それぞれ、横方向に延在する、実質的に同一面上に存在する。鉛直外板７６及び鉛直内板７８間に、中央鉛直連結板８４及び水平連結板８６の各々によって仕切られた内部空間Ｓが形成される。内部空間Ｓは、横方向に隣合う側鉛直面９０の各々間において縦方向の外方に開放されかつ、横方向に隣合う水平面９２の各々間において鉛直上方の外方に開放されている。鉛直外板７６及び鉛直内板７８には、それぞれ、相互に同心のボルト挿入用の貫通穴９９が複数個形成されている。
【手続補正６】
【補正対象書類名】明細書
【補正対象項目名】００２６
【補正方法】変更
【補正の内容】
【００２６】
図２、図３及び図９を参照して、フロア部材１０は、矩形の水平上面１２０ａを備えた平板状のフロア本体１２０と、フロア本体１２０の両側部の下面からそれぞれ下方に突出する側突出壁１２２と、フロア本体１２０の両端部の下面からそれぞれ下方に突出する端突出壁１２４とを備えている。側突出壁１２２の各々は、フロア本体１２０の両側からそれぞれ下方に水平上面１２０ａに対し直角に延び出す側外面１２２ａを有している。端突出壁１２４の各々は、フロア本体１２０の両端からそれぞれ下方に水平上面１２０ａに対し直角に延び出す端外面１２４ａを有している。側突出壁１２２の各々の下面１２２ｂ及び端突出壁１２４の各々の下面１２４ｂは、フロア本体１２０の水平上面１２０ａに平行な実質的に同一水平面上に存在する。側突出壁１２２の各々には、ボルト挿入用の貫通穴１２６が複数個形成され、端突出壁１２４の各々には、ボルト挿入用の貫通穴１２８が複数個形成されている。
【手続補正７】
【補正対象書類名】明細書
【補正対象項目名】００３１
【補正方法】変更
【補正の内容】
【００３１】
図２４には、縦方向の中間に位置する一つの水平横梁部材６と、該水平横梁部材６の、縦方向の両側に位置する側水平載置面６８上に載置された、フロア部材１０の各々の、対応する端突出壁１２４との連結状態が図示されている。ボルト１４２は、相互に整合された、片方のフロア部材１０の端突出壁１２４の貫通穴１２８、水平横梁部材６の貫通穴６５及び他方のフロア部材１０の端突出壁１２４の貫通穴１２８を通して挿入され、ナット１４４により分離自在に締結されている。ボルト１４２及びナット１４４は、締結手段を構成する。水平横梁部材６の最外側鉛直面７０の各々と、対応するフロア部材１０の側突出壁１２２の下面１２２ｂとの間は、直角な連結金具１４６を介して、複数のボルト１４８により分離自在に締結されている。水平横梁部材６の最外側鉛直面７０の各々と、対応するフロア部材１０の側突出壁１２２の下面１２２ｂの、連結金具１４６が締結される位置には、埋設された図示しない雌ねじ部材の一端が開口している。
【手続補正８】
【補正対象書類名】明細書
【補正対象項目名】００３５
【補正方法】変更
【補正の内容】
【００３５】
横方向の両端（図１２において左右端）に位置するフェンス１２の各々における被支持壁１７６の両端部の水平下面１７６ｂは、対応するフロア支持ユニット１００の端水平載置面１１０上に載置され、被支持壁１７６の鉛直面１７６ｃは、対応するフロア支持ユニット１００の端鉛直面１０８（直立支持部材４の端鉛直面３０）及び対応するフロア部材１０の側突出壁１２２の側外面１２２ａに対向して位置付けられる。フェンス１２の各々における被支持壁１７６の両端部は、貫通穴１７７を通して挿入した図示しないボルトを、直立支持部材４の端鉛直面３０に開口する雌ねじ部材３１（図１６）に締結することにより、端鉛直面３０に分離自在に締結される。フェンス１２の各々における被支持壁１７６の中間部は、相互に整合された、被支持壁１７６の貫通穴１７７及び対応するフロア部材１０の側突出壁１２２の貫通穴１２６に挿入したボルト１８０及びナット１８２により分離自在に締結される（図２６）。ボルト１８０及びナット１８２は、締結手段を構成する。フェンス１２の各々における被支持壁１７６の水平上面１７６ａと、対応するフロア部材１０の側突出壁１２２の側外面１２２ａの上端部との間は、直角な連結金具１８４を介して、複数のボルト１８６により分離自在に締結されている。フェンス１２の各々における被支持壁１７６の水平上面１７６ａと、対応するフロア部材１０の側突出壁１２２の側外面１２２ａの上端部の、連結金具１８４が締結される位置には、埋設された図示しない雌ねじ部材の一端が開口している。図１１には、組立式棚構造体２において、横方向の両端にフェンス１２が装着された状態が図示されている。
【手続補正９】
【補正対象書類名】明細書
【補正対象項目名】００３６
【補正方法】変更
【補正の内容】
【００３６】
縦方向の両側（図１２において上端及び下端）に位置するフェンス１２の各々における被支持壁１７６の下面１７６ｂは、それぞれ、縦方向の両側に位置するフロア支持ユニット１００の側水平載置面１０６であって、縦方向外側に位置する側水平載置面１０６上に載置され、被支持壁１７６の鉛直面１７６ｃは、対応するフロア支持ユニット１００の側鉛直面１０４であって、縦方向外側に位置する側鉛直面１０４に対向して位置付けられる。フェンス１２の各々における被支持壁１７６は、相互に整合された、被支持壁１７６の貫通穴１７７と、対応する直立支持部材４の上端支持部１８に設けられた貫通穴２７及び対応するフロア部材１０の端突出壁１２４の貫通穴１２８に挿入したボルト１８８及びナット１９０により分離自在に締結される（図２７参照）。ボルト１８８及びナット１９０は、締結手段を構成する。フェンス１２の各々における被支持壁１７６の水平上面１７６ａと、対応する直立支持部材４の上端支持部１８における側鉛直面２６の上端部との間は、直角な連結金具１８４を介して、複数のボルト１８６により分離自在に締結されている。フェンス１２の各々における被支持壁１７６の水平上面１７６ａと、対応する直立支持部材４の上端支持部１８における側鉛直面２６の上端部の、連結金具１８４が締結される位置には、埋設された図示しない雌ねじ部材の一端が開口している。図６には、組立式棚構造体２において、縦方向の両端にフェンス１２が装着された状態が図示されている。
【手続補正１０】
【補正対象書類名】明細書
【補正対象項目名】００３８
【補正方法】変更
【補正の内容】
【００３８】
上記組立式棚構造体２は、クレーンを利用して、概ね次の順序での設置することができる。なお、クレーンを利用して吊り上げる、直立支持部材４、水平横梁部材６、フロア部材１０、フェンス１２等、重量の重い構成部材の各々には、吊り上げ用の金具、例えば図示しない複数のアイボルトを、適宜の位置に分離自在に装着できるよう構成することが好ましい。
【手続補正１１】
【補正対象書類名】図面
【補正対象項目名】全図
【補正方法】変更
【補正の内容】
【図１】
2007051512.tif 000031
【図２】
2007051512.tif 000032
【図３】
2007051512.tif 000033
【図４】
2007051512.tif 000034
【図５】
2007051512.tif 000035
【図６】
2007051512.tif 000036
【図７】
2007051512.tif 000037
【図８】
2007051512.tif 000038
【図９】
2007051512.tif 000039
【図１０】
2007051512.tif 000040
【図１１】
2007051512.tif 000041
【図１２】
2007051512.tif 000042
【図１３】
2007051512.tif 000043
【図１４】
2007051512.tif 000044
【図１５】
2007051512.tif 000045
【図１６】
2007051512.tif 000046
【図１７】
2007051512.tif 000047
【図１８】
2007051512.tif 000048
【図１９】
2007051512.tif 000049
【図２０】
2007051512.tif 000050
【図２１】
2007051512.tif 000051
【図２２】
2007051512.tif 000052
【図２３】
2007051512.tif 000053
【図２４】
2007051512.tif 000054
【図２５】
2007051512.tif 000055
【図２６】
2007051512.tif 000056
【図２７】
2007051512.tif 000057
【図２８】
2007051512.tif 000058